(57)【要約】  本開示の通信システムは、送信データを生成可能な送信データ生成部と、所定の時間が経過する度に交番する交番パターンを生成可能なパターン生成部と、第１の指示情報に基づいて等化特性を調節可能な第１の等化回路を有し送信データおよび交番パターンを含む送信信号を送信可能な送信部と、第１の指示情報を受信可能な制御信号受信部とを有する送信装置と、送信信号を受信可能な受信部と、送信信号に含まれる交番パターンの、所定の時間に対応する周波数成分を検出可能な第１の検出部と、第１の検出部の検出結果に基づいて第１の指示情報を生成可能であり、第１の指示情報を送信可能な制御信号送信部とを有する受信装置とを備える。
2020080125.tif 000002
【特許請求の範囲】
【請求項１】
送信データを生成可能な送信データ生成部と、所定の時間が経過する度に交番する交番パターンを生成可能なパターン生成部と、第１の指示情報に基づいて等化特性を調節可能な第１の等化回路を有し前記送信データおよび前記交番パターンを含む送信信号を送信可能な送信部と、前記第１の指示情報を受信可能な制御信号受信部とを有する送信装置と、
前記送信信号を受信可能な受信部と、前記送信信号に含まれる前記交番パターンの、前記所定の時間に対応する周波数成分を検出可能な第１の検出部と、前記第１の検出部の検出結果に基づいて前記第１の指示情報を生成可能であり、前記第１の指示情報を送信可能な制御信号送信部とを有する受信装置と
を備えた通信システム。
【請求項２】
前記パターン生成部は、前記所定の時間の時間長を変更可能である
請求項１に記載の通信システム。
【請求項３】
前記送信信号に含まれる前記交番パターンは、互いに異なる前記所定の時間に対応する複数の周波数成分を含み、
前記第１の検出部は、前記複数の周波数成分を検出可能であり、
前記制御信号送信部は、前記第１の検出部により検出された前記複数の周波数成分に基づいて前記第１の指示情報を生成可能である
請求項２に記載の通信システム。
【請求項４】
前記制御信号送信部は、前記第１の検出部により検出された前記複数の周波数成分の一部に基づいて前記第１の指示情報を生成可能である
請求項３に記載の通信システム。
【請求項５】
前記送信装置は、単一パルスを生成可能なパルス生成部をさらに有し、
前記送信信号は、前記単一パルスを含み、
前記送信信号において、前記単一パルスは、前記交番パターンより前に配置され、
前記受信装置は、前記送信信号に含まれる前記単一パルスに応じた反射パルスを検出可能な第２の検出部を有し、
前記制御信号送信部は、前記第２の検出部における検出結果に基づいて前記第１の指示情報を生成可能である
請求項１に記載の通信システム。
【請求項６】
前記送信装置は、単一パルスを生成可能なパルス生成部をさらに有し、
前記送信信号は、前記単一パルスを含み、
前記送信信号において、前記単一パルスは、前記交番パターンより前に配置され、
前記受信装置は、前記送信信号に含まれる前記単一パルスに応じた反射パルスを検出可能な第２の検出部を有し、
前記受信部は、前記第２の検出部における検出結果に基づいて等化特性を調節可能な第２の等化回路を有する
請求項１に記載の通信システム。
【請求項７】
前記送信装置は、単一パルスを生成可能なパルス生成部をさらに有し、
前記送信信号は、前記単一パルスを含み、
前記送信信号において、前記単一パルスは、前記交番パターンより前に配置され、
前記送信装置は、前記送信信号に含まれる前記単一パルスに応じた反射パルスを検出可能な第３の検出部を有し、
前記第１の等化回路は、前記第３の検出部における検出結果に基づいて等化特性を調節可能である
請求項１に記載の通信システム。
【請求項８】
前記パターン生成部は、さらにトレーニングパターンを生成可能であり、
前記送信信号は、前記トレーニングパターンを含み、
前記送信信号において、前記トレーニングパターンは、前記交番パターンより後であり前記送信データより前に配置され、
前記受信装置は、前記受信部における、前記トレーニングパターンに応じた信号の波形を検出する波形検出部を有し、
前記受信部は、等化特性を調節可能な、判定帰還型の第２の等化回路と、前記第２の等化回路の前段に配置され、等化特性を調節可能な、連続時間型の第３の等化回路とを有し、
前記第１の等化回路、前記第２の等化回路、および前記第３の等化回路は、前記波形検出部における検出結果に基づいて、等化特性を調節可能である
請求項１に記載の通信システム。
【請求項９】
前記送信信号において、前記送信データは、前記交番パターンより後に配置され、
前記受信装置は、前記受信部における、前記送信データに基づく信号の波形を検出する波形検出部を有し、
前記受信部は、等化特性を調節可能な、判定帰還型の第２の等化回路と、前記第２の等化回路の前段に配置され、等化特性を調節可能な、連続時間型の第３の等化回路とを有し、
前記第１の等化回路、前記第２の等化回路、および前記第３の等化回路は、前記波形検出部における検出結果に基づいて、等化特性を調節可能である
請求項１に記載の通信システム。
【請求項１０】
前記通信システムは、複数の信号形式の信号を送受信可能であり、
前記パターン生成部は、前記所定の時間の時間長を変更可能であり、
前記送信信号に含まれる前記交番パターンは、互いに異なる前記所定の時間に対応する複数の周波数成分を含み、
前記第１の検出部は、前記複数の周波数成分を検出可能であり、
前記受信装置は、前記第１の検出部により検出された前記複数の前記周波数成分に基づいて、前記複数の信号形式から、使用すべき信号形式を決定可能な決定部をさらに有し、
前記制御信号送信部は、前記決定部の決定結果に基づいて第２の指示情報を生成可能であり、前記第２の指示情報を送信可能であり、
前記制御信号受信部は、前記第２の指示情報を受信可能であり、
前記送信部は、前記第２の指示情報に基づいて、前記使用すべき信号形式の信号を送信可能であり、
前記受信部は、前記決定部の決定結果に基づいて、前記使用すべき信号形式の信号を受信可能である
請求項１に記載の通信システム。
【請求項１１】
前記送信部は、伝送路を介して前記送信信号を前記受信部に送信し、
前記制御信号送信部は、前記伝送路を介して前記第１の指示情報を前記制御信号受信部に送信する
請求項１に記載の通信システム。
【請求項１２】
送信データを生成可能な送信データ生成部と、
所定の時間が経過する度に交番する交番パターンを生成可能なパターン生成部と、
第１の指示情報に基づいて等化特性を調節可能な第１の等化回路を有し、前記送信データおよび前記交番パターンを含む送信信号を送信可能な送信部と、
前記送信信号に含まれる前記交番パターンの、前記所定の時間に対応する周波数成分に基づいて前記第１の指示情報を生成可能な受信装置から送信された前記第１の指示情報を受信可能な制御信号受信部と
を備えた送信装置。
【請求項１３】
前記パターン生成部は、前記所定の時間の時間長を変更可能である
請求項１２に記載の送信装置。
【請求項１４】
前記送信部は、複数の信号形式の信号を送信可能であり、
前記送信信号に含まれる前記交番パターンは、互いに異なる前記所定の時間に対応する複数の周波数成分を含み、
前記受信装置は、前記複数の周波数成分に基づいて、前記複数の信号形式から、使用すべき信号形式を決定可能であり、その決定結果に基づいて第２の指示情報を生成可能であり、
前記制御信号受信部は、前記第２の指示情報を受信可能であり、
前記送信部は、前記第２の指示情報に基づいて、前記使用すべき信号形式の信号を送信可能である
請求項１３に記載の送信装置。
【請求項１５】
等化特性を調節可能な第２の等化回路を有し、送信データおよび所定の時間が経過する度に交番する交番パターンを含む送信信号を送信可能な送信装置から送信された前記送信信号を受信可能な受信部と、
前記送信信号に含まれる前記交番パターンの、前記所定の時間に対応する周波数成分を検出可能な第１の検出部と、
前記第１の検出部の検出結果に基づいて第１の指示情報を生成可能であり、前記第１の指示情報を送信可能な制御信号送信部と
を備えた受信装置。
【請求項１６】
決定部をさらに備え、
前記受信部は、複数の信号形式の信号を受信可能であり、
前記送信装置は、前記所定の時間の時間長を変更可能であり、
前記送信信号に含まれる前記交番パターンは、互いに異なる前記所定の時間に対応する複数の周波数成分を含み、
前記第１の検出部は、前記複数の周波数成分を検出可能であり、
前記決定部は、前記第１の検出部により検出された前記複数の前記周波数成分に基づいて、前記複数の信号形式から、使用すべき信号形式を決定可能であり、
前記制御信号送信部は、前記決定部の決定結果に基づいて第２の指示情報を生成可能であり、前記第２の指示情報を送信可能であり、
前記受信部は、前記決定部の決定結果に基づいて、前記使用すべき信号形式の信号を受信可能である
請求項１５に記載の受信装置。
【発明の詳細な説明】
【技術分野】
【０００１】
本開示は、通信を行う通信システム、送信装置、および受信装置に関する。
【背景技術】
【０００２】
通信システムでは、例えば信号のビットレートが高い場合や伝送路が長い場合に、しばしば等化回路が用いられる。例えば、特許文献１には、疑似ランダムパターンを用いてトレーニングを行うことにより、プリエンファシス回路におけるプリエンファシス量を調節する通信システムが開示されている。
【先行技術文献】
【特許文献】
【０００３】
【特許文献１】特開２００８−２２３９２号公報
【発明の概要】
【０００４】
通信システムでは、信号のビットレートが高い場合や伝送路が長い場合でも、通信品質が高いことが望まれており、さらなる通信品質の向上が期待されている。
【０００５】
通信品質を高めることができる通信システム、送信装置、および受信装置を提供することが望ましい。
【０００６】
本開示の一実施の形態における通信システムは、送信装置と、受信装置とを備えている。送信装置は、送信データ生成部と、パターン生成部と、送信部と、制御信号受信部とを有している。送信データ生成部は、送信データを生成可能である。パターン生成部は、所定の時間が経過する度に交番する交番パターンを生成可能である。送信部は、第１の指示情報に基づいて等化特性を調節可能な第１の等化回路を有し、送信データおよび交番パターンを含む送信信号を送信可能である。制御信号受信部は、第１の指示情報を受信可能である。受信装置は、受信部と、第１の検出部と、制御信号送信部とを備えている。受信部は、送信信号を受信可能である。第１の検出部は、送信信号に含まれる交番パターンの、所定の時間に対応する周波数成分を検出可能である。制御信号送信部は、第１の検出部の検出結果に基づいて第１の指示情報を生成可能であり、第１の指示情報を送信可能である。
【０００７】
本開示の一実施の形態における送信装置は、送信データ生成部と、パターン生成部と、送信部と、制御信号受信部とを備えている。送信データ生成部は、送信データを生成可能である。パターン生成部は、所定の時間が経過する度に交番する交番パターンを生成可能である。送信部は、第１の指示情報に基づいて等化特性を調節可能な第１の等化回路を有し、送信データおよび交番パターンを含む送信信号を送信可能である。制御信号受信部は、送信信号に含まれる交番パターンの、所定の時間に対応する周波数成分に基づいて第１の指示情報を生成可能な受信装置から送信された第１の指示情報を受信可能である。
【０００８】
本開示の一実施の形態における受信装置は、受信部と、第１の検出部と、制御信号送信部とを備えている。受信部は、等化特性を調節可能な第２の等化回路を有し、送信データおよび所定の時間が経過する度に交番する交番パターンを含む送信信号を送信可能な送信装置から送信された送信信号を受信可能である。第１の検出部は、送信信号に含まれる交番パターンの、所定の時間に対応する周波数成分を検出可能である。制御信号送信部は、第１の検出部の検出結果に基づいて第１の指示情報を生成可能であり、第１の指示情報を送信可能である。
【０００９】
本開示の一実施の形態における通信システムでは、送信データ、および所定の時間が経過する度に交番する交番パターンを含む送信信号が送信装置から送信され、その送信信号が受信装置により受信される。受信装置では、送信信号に含まれる交番パターンの、所定の時間に対応する周波数成分が検出され、この検出結果に基づいて第１の指示情報が生成され、この第１の指示情報が送信装置に送信される。送信装置の第１の等化回路では、この第１の指示情報に基づいて等化特性が調節される。
【００１０】
本開示の一実施の形態における送信装置では、送信データ、および所定の時間が経過する度に交番する交番パターンを含む送信信号が送信部から送信される。そして、送信信号に含まれる交番パターンの、所定の時間に対応する周波数成分に基づいて第１の指示情報を生成可能な受信装置から送信された第１の指示情報が、制御信号受信部により受信される。送信部の第１の等化回路では、この第１の指示情報に基づいて等化特性が調節される。
【００１１】
本開示の一実施の形態における受信装置では、送信信号から送信された、送信データ、および所定の時間が経過する度に交番する交番パターンを含む送信信号が、受信部により受信される。送信信号に含まれる交番パターンの、所定の時間に対応する周波数成分は、第１の検出部により検出される。そして、制御信号送信部により、この検出結果に基づいて第１の指示情報が生成され、この第１の指示情報が送信装置に送信される。
【図面の簡単な説明】
【００１２】
【図１】本開示の第１の実施の形態に係る通信システムの一構成例を表すブロック図である。
【図２】図１に示したプレトレーニングパターン生成部が生成するプレトレーニングパターンの一例を表す波形図である。
【図３】図１に示した伝送路の一特性例を表す特性図である。
【図４】図１に示した伝送路の一特性例を表す他の特性図である。
【図５】図１に示した通信システムの状態遷移図である。
【図６】図１に示した通信システムの一動作例を表すフローチャートである。
【図７】第１の実施の形態の変形例に係る通信システムの一構成例を表すブロック図である。
【図８】第１の実施の形態の他の変形例に係る通信システムの一構成例を表すブロック図である。
【図９】図８に示した通信システムの一動作例を表すフローチャートである。
【図１０】第１の実施の形態の他の変形例に係るプレトレーニングパターン生成部が生成するプレトレーニングパターンの一例を表す波形図である。
【図１１】伝送路の一特性例を表す他の特性図である。
【図１２】第１の実施の形態の他の変形例に係る通信システムの一動作例を表すフローチャートである。
【図１３】第１の実施の形態の他の変形例に係るプレトレーニングパターン生成部が生成するプレトレーニングパターンの一例を表す波形図である。
【図１４】図１に示した伝送路の一特性例を表す他の特性図である。
【図１５】図１に示した伝送路の一特性例を表す他の特性図である。
【図１６】第１の実施の形態の他の変形例に係る通信システムの一構成例を表すブロック図である。
【図１７】図１に示した伝送路における反射の一例を表す説明図である。
【図１８】図１６に示した通信システムの一動作例を表すフローチャートである。
【図１９】第１の実施の形態の他の変形例に係る通信システムの一構成例を表すブロック図である。
【図２０】第２の実施の形態に係る通信システムの一構成例を表すブロック図である。
【図２１】図２０に示した通信システムにおいて送受信される信号の一例を表す説明図である。
【図２２】図２０に示した送信装置の一構成例を表すブロック図である。
【図２３】図２０に示した伝送路の一特性例を表す他の特性図である。
【図２４】図２０に示した伝送路の一特性例を表す他の特性図である。
【図２５】図２０に示した通信システムの一動作例を表すフローチャートである。
【発明を実施するための形態】
【００１３】
以下、本開示の実施の形態について、図面を参照して詳細に説明する。なお、説明は以下の順序で行う。
１．第１の実施の形態
２．第２の実施の形態
【００１４】
＜１．第１の実施の形態＞
［構成例］
図１は、第１の実施の形態に係る通信システム（通信システム１）の一構成例を表すものである。通信システム１は、ＮＲＺ（non-return-to-zero）信号を用いて通信を行うように構成される。通信システム１は、送信装置１０と、受信装置３０とを備えている。送信装置１０は、伝送路１００を介して、受信装置３０に対して信号ＳＩＧを送信する。信号ＳＩＧのビットレートは、この例では、１０Ｇｂｐｓである。信号ＳＩＧは、シングルエンド信号であってもよいし、互いに反転した２つの信号を含む差動信号であってもよい。また、受信装置３０は、この伝送路１００を介して、送信装置１０に対して制御信号ＳＣＴＬを送信する。制御信号ＳＣＴＬのビットレートは、例えば数Ｍｂｐｓ程度である。この制御信号ＳＣＴＬは、シングルエンド信号であってもよいし、互いに反転した２つの信号を含む差動信号であってもよい。通信システム１は、信号ＳＩＧおよび制御信号ＳＣＴＬを送受信する際、全二重方式により送受信してもよいし、半二重方式により送受信してもよい。通信システム１は、３つの等化回路（後述するＦＦＥ（Feed Forward Equalizer）回路１３Ａ、ＣＴＬＥ（Continuous Time Linear Equalizer）回路３１Ａ、ＤＦＥ（Decision Feedback Equalizer）回路３１Ｂ）を有している。これにより、通信システム１では、送信装置１０が受信装置３０に信号ＳＩＧを送信する際の通信品質を高めることができるようになっている。
【００１５】
（送信装置１０）
送信装置１０は、処理部２０と、シリアライザ１１と、クロック生成部１２と、送信部１３と、受信部１４とを有している。
【００１６】
処理部２０は、所定の処理を行うように構成される。処理部２０は、送信データ生成部２１と、トレーニングパターン生成部２２と、プレトレーニングパターン生成部２３と、セレクタ２５と、制御信号解析部２６と、等化特性調節部２７とを有している。トレーニングパターン生成部２２およびプレトレーニングパターン生成部２３は、パターン生成部２９を構成する。
【００１７】
送信データ生成部２１は、送信装置１０から受信装置３０に送信すべき情報を含む送信データＤＴを生成するように構成される。そして、送信データ生成部２１は、生成した送信データＤＴを、Ｎビットのパラレル信号を用いて、セレクタ２５に供給するようになっている。
【００１８】
トレーニングパターン生成部２２は、通信システム１における３つの等化回路（後述するＦＦＥ回路１３Ａ、ＣＴＬＥ回路３１Ａ、ＤＦＥ回路３１Ｂ）の等化特性を調節する際に使用するトレーニングパターンＰＡＴを生成するように構成される。トレーニングパターンＰＡＴは、例えば、ＰＲＢＳ（Pseudo Random Bit Sequence）パターンなどの疑似ランダムパターンである。この疑似ランダムパターンは、トレーニングパターン生成部２２が生成したトレーニングパターンＰＡＴを、シリアライザ１１がシリアライズすることにより生成される。そして、トレーニングパターン生成部２２は、生成したトレーニングパターンＰＡＴを、Ｎビットのパラレル信号を用いて、セレクタ２５に供給するようになっている。
【００１９】
プレトレーニングパターン生成部２３は、プレトレーニングパターンＰＡＴpreを生成するように構成される。
【００２０】
図２は、プレトレーニングパターンＰＡＴpreの一例を表すものである。プレトレーニングパターンＰＡＴpreは、所定の時間Ｔが経過する度に“１”と“０”とが交番する交番パターンであり、例えば５ＧＨｚのパルス周波数を有するパターンである。この交番パターンは、プレトレーニングパターン生成部２３が生成したプレトレーニングパターンＰＡＴpreを、シリアライザ１１がシリアライズすることにより生成される。そして、プレトレーニングパターン生成部２３は、生成したプレトレーニングパターンＰＡＴpreを、Ｎビットのパラレル信号を用いて、セレクタ２５に供給するようになっている。
【００２１】
セレクタ２５は、送信データ生成部２１の出力信号、トレーニングパターン生成部２２の出力信号、プレトレーニングパターン生成部２３の出力信号のうちの１つを選択するように構成される。そして、セレクタ２５は、選択された信号をＮビットのパラレル信号を用いて、シリアライザ１１に供給するようになっている。
【００２２】
制御信号解析部２６は、受信部１４が受信した制御信号ＳＣＴＬに基づいて、制御信号ＳＣＴＬに含まれる制御情報を解析するように構成される。
【００２３】
等化特性調節部２７は、制御信号ＳＣＴＬに、ＦＦＥ回路１３Ａ（後述）の等化特性についての指示情報が含まれている場合に、この指示情報に基づいて、ＦＦＥ回路１３Ａの等化特性を調節するように構成される。この指示情報は、例えば、ＦＦＥ回路１３Ａがプリエンファシス回路である場合には、高周波数領域における振幅を大きくすべき旨の指示や、高周波数領域における振幅を小さくすべき旨の指示である。等化特性調節部２７は、この指示情報に基づいて、ＦＦＥ回路１３Ａの等化パラメータを示す制御信号Ｓadj1を生成し、この制御信号Ｓadj1をＦＦＥ回路１３Ａに供給することにより、ＦＦＥ回路１３Ａの等化特性を調節するようになっている。
【００２４】
シリアライザ１１は、処理部２０のセレクタ２５から供給されたＮビットのパラレル信号、およびクロック生成部１２から供給されたクロック信号に基づいて、シリアル信号であるデータ信号を生成するように構成される。
【００２５】
クロック生成部１２は、例えばＰＬＬ（Phase Locked Loop）を含み、クロック信号を生成するように構成される。この例では、クロック生成部１２は、１０ＧＨｚのクロック周波数を有するクロック信号を生成する。なお、例えば、シリアライザ１１をハーフレートアーキテクチャで構成した場合には、クロック周波数を５ＧＨｚにすることができる。
【００２６】
送信部１３は、シリアライザ１１から供給されたデータ信号に基づいて、信号ＳＩＧを生成し、生成した信号ＳＩＧを受信装置３０に送信するように構成される。送信部１３は、ＦＦＥ回路１３Ａを有している。ＦＦＥ回路１３Ａは、例えばプリエンファシス回路やデエンファシス回路などの等化回路であり、等化特性を変更可能に構成される。ＦＦＥ回路１３Ａは、等化特性調節部２７から供給された制御信号Ｓadj1が示す等化パラメータに基づいて、等化特性を設定するようになっている。等化パラメータは、例えば、ＦＦＥ回路１３Ａの複数のタップにおけるタップ係数についての情報を含む。
【００２７】
受信部１４は、受信装置３０から送信された制御信号ＳＣＴＬを受信するように構成される。そして、受信部１４は、受信した制御信号ＳＣＴＬに応じた制御信号を処理部２０の制御信号解析部２６に供給するようになっている。
【００２８】
（受信装置３０）
受信装置３０は、受信部３１と、ＣＤＲ（Clock and Data Recovery）回路３２と、デシリアライザ３３と、アイ開口検出部３４と、伝送損失検出部３５と、送信部３６と、処理部４０とを有している。
【００２９】
受信部３１は、送信装置１０から送信された信号ＳＩＧを受信するように構成される。受信部３１は、ＣＴＬＥ回路３１Ａと、ＤＦＥ回路３１Ｂとを有している。
【００３０】
ＣＴＬＥ回路３１Ａは、連続時間型の線形等化回路であり、等化特性を変更可能に構成される。ＣＴＬＥ回路３１Ａは、受信部３１においてＤＦＥ回路３１Ｂの前段に配置される。ＣＴＬＥ回路３１Ａは、処理部４０の等化特性調節部４２（後述）から供給された制御信号Ｓadj2が示す等化パラメータに基づいて、等化特性を設定するようになっている。
【００３１】
ＤＦＥ回路３１Ｂは、判定帰還型の等化回路であり、等化特性を変更可能に構成される。具体的には、ＤＦＥ回路３１Ｂは、ＤＦＥ回路３１Ｂにおいて判定された信号が遅延され、遅延された信号が等化パラメータ（タップ係数）により重みづけされ、重みづけされた信号とＤＦＥ回路３１Ｂに入力された信号とが互いに加算され、加算された信号（加算信号）が判定されるように構成される。また、ＤＦＥ回路３１Ｂは、この加算信号を、アイ開口検出部３４に供給するように構成される。ＤＦＥ回路３１Ｂは、受信部３１においてＣＴＬＥ回路３１Ａの後段に配置される。ＤＦＥ回路３１Ｂは、処理部４０の等化特性調節部４２（後述）から供給された制御信号Ｓadj3が示す等化パラメータに基づいて、等化特性を設定するようになっている。
【００３２】
ＣＤＲ回路３２は、受信部３１から供給された信号に基づいて、クロック信号を再生するとともにデータ信号を生成するように構成される。
【００３３】
デシリアライザ３３は、ＣＤＲ回路３２から供給されたクロック信号およびデータ信号に基づいて、データ信号をデシリアライズすることにより、Ｎビットのパラレル信号であるデータ信号を生成するように構成される。そして、デシリアライザ３３は、生成したデータ信号を処理部４０に供給するようになっている。
【００３４】
アイ開口検出部３４は、ＤＦＥ回路３１Ｂにおける加算信号のアイ開口の大きさを検出するように構成される。加算信号は、上述したように、ＤＦＥ回路３１Ｂにおいて、重みづけされた信号とＤＦＥ回路３１Ｂに入力された信号とが互いに加算された信号である。よって、この加算信号は、ＦＦＥ回路１３Ａの等化特性およびＣＴＬＥ回路３１Ａの等化特性に加え、ＤＦＥ回路３１Ｂの等化特性が反映されている。アイ開口検出部３４は、このような加算信号のアイ開口の大きさを検出し、その検出結果を処理部４０に供給するようになっている。
【００３５】
伝送損失検出部３５は、送信装置１０が、プレトレーニングパターンＰＡＴpre（図２）を含む信号ＳＩＧを送信している場合に、この信号ＳＩＧの信号レベルを検出するように構成される。伝送損失検出部３５は、例えば、ＡＤ（Analog to Digital）変換回路や、振幅検出回路を用いて構成される。
【００３６】
図３は、伝送路１００の一特性例を模式的に表すものである。横軸は周波数を示し、縦軸は伝送路１００における伝送損失を示す。特性Ｗ１は、伝送路１００が短い場合を示し、特性Ｗ２は、伝送路１００が長い場合を示す。周波数が高いほど、そして、伝送路１００が長いほど、伝送損失は大きくなる。
【００３７】
図４（Ａ）は、送信装置１０の出力端子における信号ＳＩＧの信号レベルを示し、図４（Ｂ）は、受信装置３０の入力端子における信号ＳＩＧの信号レベルを示す。信号ＳＩＧは、プレトレーニングパターンＰＡＴpre（図２）を含むので、この例では、５ＧＨｚの周波数成分を有する。信号ＳＩＧの信号レベルは、伝送路１００により減衰する。伝送損失検出部３５は、伝送路１００により減衰された信号ＳＩＧの信号レベル（図４Ｂに示した５ＧＨｚの周波数成分）を検出する。これにより、伝送損失検出部３５は、この例では５ＧＨｚでの伝送損失を検出することができる。そして、伝送損失検出部３５は、検出結果を処理部４０に供給するようになっている。
【００３８】
送信部３６は、処理部４０から供給された制御信号を、制御信号ＳＣＴＬを用いて、送信装置１０に送信するように構成される。
【００３９】
処理部４０は、所定の処理を行うように構成される。処理部４０は、ビットエラーレート検出部４１と、等化特性調節部４２と、制御信号生成部４３とを有している。
【００４０】
ビットエラーレート検出部４１は、デシリアライザ３３から供給されたデータ信号に基づいて、ビットエラーレートを検出するように構成される。そして、ビットエラーレート検出部４１は、その検出結果を等化特性調節部４２に供給するようになっている。
【００４１】
等化特性調節部４２は、アイ開口検出部３４の検出結果に基づいて、ＣＴＬＥ回路３１ＡおよびＤＦＥ回路３１Ｂの等化特性を調節するとともに、送信装置１０におけるＦＦＥ回路１３Ａの等化特性についての指示情報を生成するように構成される。具体的には、等化特性調節部４２は、ＣＴＬＥ回路３１Ａの等化パラメータを示す制御信号Ｓadj2を生成するとともに、ＤＦＥ回路３１Ｂの等化パラメータを示す制御信号Ｓadj3を生成する。そして、等化特性調節部４２は、制御信号Ｓadj2をＣＴＬＥ回路３１Ａに供給することにより、ＣＴＬＥ回路３１Ａの等化特性を調節するとともに、制御信号Ｓadj3をＤＦＥ回路３１Ｂに供給することにより、ＤＦＥ回路３１Ｂの等化特性を調節するようになっている。また、等化特性調節部４２は、伝送損失検出部３５の検出結果に基づいて、送信装置１０におけるＦＦＥ回路１３Ａの等化特性についての指示情報を生成する機能をも有している。
【００４２】
制御信号生成部４３は、送信装置１０に伝えるべき制御情報を生成し、生成した制御情報を含む制御信号を送信部３６に供給するように構成される。制御信号生成部４３は、例えば、等化特性調節部４２から、ＦＦＥ回路１３Ａの等化特性についての指示情報が供給された場合には、この指示情報を含む制御信号を生成するようになっている。
【００４３】
送信部３６は、制御信号生成部４３から供給された制御信号に基づいて制御信号ＳＣＴＬを生成し、生成した制御信号ＳＣＴＬを送信装置１０に送信するように構成される。
【００４４】
この構成により、通信システム１では、まず、送信装置１０がプレトレーニングパターンＰＡＴpre（図２）を含む信号ＳＩＧを送信し、受信装置３０の伝送損失検出部３５が、この信号ＳＩＧの信号レベルを検出することにより伝送路１００における伝送損失を検出する。通信システム１は、この検出結果に基づいて、ＦＦＥ回路１３Ａの等化特性を調節する。そして、次に、送信装置１０が、トレーニングパターンＰＡＴを含む信号ＳＩＧを送信し、受信装置３０のアイ開口検出部３４がアイ開口の大きさを検出する。通信システム１は、この検出結果に基づいて、ＣＴＬＥ回路３１Ａの等化特性、およびＤＦＥ回路３１Ｂの等化特性を調節するようになっている。
【００４５】
ここで、送信データ生成部２１は、本開示における「送信データ生成部」の一具体例に対応する。パターン生成部２９は、本開示における「パターン生成部」の一具体例に対応する。プレトレーニングパターンＰＡＴpreは、本開示における「交番パターン」の一具体例に対応する。送信部１３は、本開示における「送信部」の一具体例に対応する。ＦＦＥ回路１３Ａは、本開示における「第１の等化回路」の一具体例に対応する。受信部１４および制御信号解析部２６は、本開示における「制御信号受信部」の一具体例に対応する。
【００４６】
受信部３１は、本開示における「受信部」の一具体例に対応する。ＤＦＥ回路３１Ｂは、本開示における「第２の等化回路」の一具体例に対応する。ＣＴＬＥ回路３１Ａは、本開示における「第３の等化回路」の一具体例に対応する。伝送損失検出部３５は、本開示における「第１の検出部」の一具体例に対応する。制御信号生成部４３および送信部３６は、本開示における「制御信号送信部」の一具体例に対応する。アイ開口検出部３４は、本開示における「波形検出部」の一具体例に対応する。
【００４７】
［動作および作用］
続いて、本実施の形態の通信システム１の動作および作用について説明する。
【００４８】
（全体動作概要）
まず、図１を参照して、通信システム１の全体動作概要を説明する。
【００４９】
送信装置１０において、送信データ生成部２１は、送信装置１０から受信装置３０に送信すべき情報を含む送信データＤＴを生成する。トレーニングパターン生成部２２は、トレーニングパターンＰＡＴを生成する。プレトレーニングパターン生成部２３は、プレトレーニングパターンＰＡＴpreを生成する。セレクタ２５は、送信データ生成部２１の出力信号、トレーニングパターン生成部２２の出力信号、プレトレーニングパターン生成部２３の出力信号のうちの１つを選択する。シリアライザ１１は、セレクタ２５により選択されたＮビットのパラレル信号、およびクロック生成部１２から供給されたクロック信号に基づいて、シリアル信号であるデータ信号を生成する。送信部１３は、シリアライザ１１から供給されたデータ信号に基づいて信号ＳＩＧを生成し、生成した信号ＳＩＧを受信装置３０に送信する。送信部１３のＦＦＥ回路１３Ａは、制御信号Ｓadj1が示す等化パラメータに基づいて、等化特性を設定する。
【００５０】
受信装置３０において、受信部３１は、送信装置１０から送信された信号ＳＩＧを受信する。受信部３１のＣＴＬＥ回路３１Ａは、制御信号Ｓadj2が示す等化パラメータに基づいて等化特性を設定する。ＤＦＥ回路３１Ｂは、制御信号Ｓadj3が示す等化パラメータに基づいて等化特性を設定する。ＣＤＲ回路３２は、受信部３１から供給された信号に基づいて、クロック信号を再生するとともにデータ信号を生成する。デシリアライザ３３は、ＣＤＲ回路３２から供給されたクロック信号およびデータ信号に基づいて、データ信号をデシリアライズすることにより、パラレル信号であるデータ信号を生成する。アイ開口検出部３４は、ＤＦＥ回路３１Ｂにおける加算信号のアイ開口の大きさを検出する。伝送損失検出部３５は、送信装置１０が、プレトレーニングパターンＰＡＴpreを含む信号ＳＩＧを送信している場合に、この信号ＳＩＧの信号レベルを検出する。ビットエラーレート検出部４１は、デシリアライザ３３から供給されたデータ信号に基づいて、ビットエラーレートを検出する。等化特性調節部４２は、アイ開口検出部３４の検出結果に基づいて、ＣＴＬＥ回路３１ＡおよびＤＦＥ回路３１Ｂの等化特性を調節するとともに、送信装置１０におけるＦＦＥ回路１３Ａの等化特性についての指示情報を生成する。また、等化特性調節部４２は、伝送損失検出部３５の検出結果に基づいて、送信装置１０のＦＦＥ回路１３Ａの等化特性についての指示情報を生成する。
【００５１】
受信装置３０の制御信号生成部４３は、送信装置１０に伝えるべき制御情報を生成し、生成した情報を含む制御信号を送信部３６に供給する。特に、制御信号生成部４３は、例えば、等化特性調節部４２から、ＦＦＥ回路１３Ａの等化特性についての指示情報が供給された場合には、この指示情報を含む制御信号を生成する。送信部３６は、制御信号生成部４３から供給された制御信号に基づいて制御信号ＳＣＴＬを生成し、生成した制御信号ＳＣＴＬを送信装置１０に送信する。
【００５２】
送信装置１０の受信部１４は、受信装置３０から送信された制御信号ＳＣＴＬを受信する。制御信号解析部２６は、受信部１４が受信した制御信号ＳＣＴＬに基づいて、制御信号ＳＣＴＬに含まれる制御情報を解析する。等化特性調節部２７は、制御信号ＳＣＴＬに、ＦＦＥ回路１３Ａの等化特性についての指示情報が含まれている場合に、この指示情報に基づいて、ＦＦＥ回路１３Ａの等化特性を調節する。
【００５３】
（詳細動作）
図５は、通信システム１の動作モードの一例を表すものである。通信システム１は、複数の動作モードＭを有している。複数の動作モードＭは、シャットダウンモードＭ１、スタートアップモードＭ２、通常モードＭ３、スリープモードＭ４を含む。
【００５４】
例えば、電源が投入されると、通信システム１は、動作モードＭをシャットダウンモードＭ１に設定する。そして、その後に、リセットが解除されると、動作モードＭはシャットダウンモードＭ１からスタートアップモードＭ２に移行する。このスタートアップモードＭ２において、通信システム１は、リンクを確立するための様々な処理を行う。リンクを確立するための様々な処理は、ＦＦＥ回路１３Ａの等化特性、ＣＴＬＥ回路３１Ａの等化特性、およびＤＦＥ回路３１Ｂの等化特性の調節を含む。そして、リンクが確立されると、動作モードＭはスタートアップモードＭ２から通常モードＭ３に移行する。この通常モードＭ３では、送信装置１０および受信装置３０は通信を行う。通信システム１にスリープコマンドが供給されると、動作モードＭは通常モードＭ３からスリープモードＭ４に移行する。このスリープモードＭ４では、送信装置１０および受信装置３０は、通信を停止する。このとき、送信装置１０および受信装置３０の等化パラメータなどの各種設定は維持される。そして、スリープが解除されると、動作モードはスリープモードＭ４からスタートアップモードＭ２に移行し、スタートアップモードＭ２においてリンクが確立されると、動作モードＭは通常モードＭ３に移行する。また、通常モードＭ３およびスリープモードＭ４において、通信システム１にリセット信号が供給されると、動作モードはシャットダウンモードＭ１に移行する。
【００５５】
図６は、通信システム１の等化特性を調節する動作の一例を表すものである。
【００５６】
通信システム１の動作モードＭがスタートアップモードＭ２に移行すると、まず、送信装置１０は、交番パターンであるプレトレーニングパターンＰＡＴpreを含む信号ＳＩＧの送信を開始する（ステップＳ１０１）。具体的には、プレトレーニングパターン生成部２３は、プレトレーニングパターンＰＡＴpreを生成し、セレクタ２５は、プレトレーニングパターン生成部２３の出力信号を選択し、シリアライザ１１は、セレクタ２５により選択された信号をシリアライズする。そして、送信部１３は、シリアライズされた信号に基づいてプレトレーニングパターンＰＡＴpreを含む信号ＳＩＧを生成し、この信号ＳＩＧを送信する。受信装置３０は、この信号ＳＩＧを受信する。
【００５７】
次に、受信装置３０の伝送損失検出部３５は、信号ＳＩＧの信号レベルを検出する（ステップＳ１０２）。
【００５８】
次に、通信システム１は、ＦＦＥ回路１３Ａの等化特性を調節する（ステップＳ１０３）。具体的には、等化特性調節部４２は、伝送損失検出部３５の検出結果に基づいて、送信装置１０のＦＦＥ回路１３Ａの等化特性についての指示情報を生成する。例えば、ステップＳ１０２において検出した信号ＳＩＧの信号レベルが小さい場合には、高周波数領域における振幅を大きくすべき旨の指示情報を生成する。制御信号生成部４３は、この指示情報を含む制御信号を送信部３６に供給し、送信部３６は、この制御信号に基づいて制御信号ＳＣＴＬを生成し、生成した制御信号ＳＣＴＬを送信装置１０に送信する。送信装置１０の受信部１４は、制御信号ＳＣＴＬを受信し、制御信号解析部２６は、この制御信号ＳＣＴＬに含まれる制御情報を解析する。そして、等化特性調節部２７は、制御信号ＳＣＴＬに含まれる、ＦＦＥ回路１３Ａの等化特性についての指示情報に基づいて、ＦＦＥ回路１３Ａの等化特性を調節する。
【００５９】
次に、送信装置１０の処理部２０は、ステップＳ１０１においてプレトレーニングパターンＰＡＴpreを含む信号ＳＩＧの送信を開始してから所定の時間が経過したかどうかを確認する（ステップＳ１０４）。まだ所定の時間が経過していない場合（ステップＳ１０４において“Ｎ”）には、ステップＳ１０２に戻り、所定の時間が経過するまで、ステップＳ１０２〜Ｓ１０４の動作を繰り返す。すなわち、“所定の時間”は、ステップＳ１０２〜Ｓ１０４の動作により、ＦＦＥ回路１３Ａの等化特性が収束すると期待される時間に設定される。なお、この例では、送信装置１０の処理部２０が、所定の時間が経過したかどうかを確認するようにしたが、これに限定されるものではなく、例えば、受信装置３０の処理部４０が、所定の時間が経過したかどうかを確認し、所定の時間が経過した場合に送信装置１０に通知してもよい。
【００６０】
ステップＳ１０４において、所定の時間が経過した場合（ステップＳ１０４において“Ｙ”）には、送信装置１０は、疑似ランダムパターンであるトレーニングパターンＰＡＴを含む信号ＳＩＧの送信を開始する（ステップＳ１０５）。具体的には、トレーニングパターン生成部２２は、トレーニングパターンＰＡＴを生成し、セレクタ２５は、トレーニングパターン生成部２２の出力信号を選択し、シリアライザ１１は、セレクタ２５により選択された信号をシリアライズする。そして、送信部１３は、シリアライズされた信号に基づいて、トレーニングパターンＰＡＴを含む信号ＳＩＧを生成し、この信号ＳＩＧを送信する。受信装置３０は、この信号ＳＩＧを受信する。
【００６１】
次に、受信装置３０は、ＣＴＬＥ回路３１ＡおよびＤＦＥ回路３１Ｂの等化特性を調節する（ステップＳ１０６）。具体的には、受信装置３０のアイ開口検出部３４は、ＤＦＥ回路３１Ｂにおける加算信号のアイ開口の大きさを検出する。そして、等化特性調節部４２は、アイ開口検出部３４の検出結果に基づいて、ＣＴＬＥ回路３１ＡおよびＤＦＥ回路３１Ｂの等化特性を調節する。
【００６２】
次に、受信装置３０は、ステップＳ１０６において送信装置１０がプレトレーニングパターンＰＡＴpreを含む信号ＳＩＧの送信を開始してから所定の時間が経過したかどうかを確認する（ステップＳ１０７）。まだ所定の時間が経過していない場合（ステップＳ１０７において“Ｎ”）には、ステップＳ１０６に戻り、所定の時間が経過するまで、ステップＳ１０６〜Ｓ１０７の動作を繰り返す。すなわち、“所定の時間”は、ステップＳ１０６〜Ｓ１０７の動作により、ＣＴＬＥ回路３１ＡおよびＤＦＥ回路３１Ｂの等化特性が収束すると期待される時間に設定される。
【００６３】
ステップＳ１０７において、所定の時間が経過した場合（ステップＳ１０７において“Ｙ”）には、通信システム１の動作モードＭがスタートアップモードＭ２から通常モードＭ３に移行し、送信装置１０は、送信データＤＴを含む信号ＳＩＧの送信を開始する（ステップＳ１０８）。具体的には、送信データ生成部２１は、送信データＤＴを生成し、セレクタ２５は、送信データ生成部２１の出力信号を選択し、シリアライザ１１は、セレクタ２５により選択された信号をシリアライズする。そして、送信部１３は、シリアライズされた信号に基づいて、送信データＤＴを含む信号ＳＩＧを生成し、この信号ＳＩＧを送信する。受信装置３０は、この信号ＳＩＧを受信する。
【００６４】
次に、通信システム１は、ＦＦＥ回路１３Ａ、ＣＴＬＥ回路３１Ａ、およびＤＦＥ回路３１Ｂの等化特性を調節する（ステップＳ１０９）。具体的には、受信装置３０のアイ開口検出部３４は、ＤＦＥ回路３１Ｂにおける加算信号のアイ開口の大きさを検出する。そして、等化特性調節部４２は、アイ開口検出部３４の検出結果に基づいて、ＣＴＬＥ回路３１ＡおよびＤＦＥ回路３１Ｂの等化特性を調節する。また、等化特性調節部４２は、アイ開口検出部３４の検出結果に基づいて、送信装置１０のＦＦＥ回路１３Ａの等化特性についての指示情報を生成する。制御信号生成部４３は、この指示情報を含む制御信号を送信部３６に供給し、送信部３６は、この制御信号に基づいて制御信号ＳＣＴＬを生成し、生成した制御信号ＳＣＴＬを送信装置１０に送信する。送信装置１０の受信部１４は、制御信号ＳＣＴＬを受信し、等化特性調節部２７は、制御信号ＳＣＴＬに含まれる、ＦＦＥ回路１３Ａの等化特性についての指示情報に基づいて、ＦＦＥ回路１３Ａの等化特性を調節する。通信システム１が、ＦＦＥ回路１３Ａ、ＣＴＬＥ回路３１Ａ、およびＤＦＥ回路３１Ｂの等化特性を調節する動作は、通常モードＭ３において、継続的に行ってもよいし、間欠的に行ってもよい。
【００６５】
次に、ビットエラーレート検出部４１は、デシリアライザ３３から供給されたデータ信号に基づいて、ビットエラーレートを検出し、検出されたビットエラーレートが所定値よりも大きいかどうかを確認する（ステップＳ１１０）。ビットエラーレートが所定値以下である場合（ステップＳ１１０において“Ｎ”）には、ステップＳ１０９に戻り、ステップＳ１０９，Ｓ１１０の動作を繰り返す。
【００６６】
ステップＳ１１０において、検出されたビットエラーレートが所定値よりも大きい場合（ステップＳ１１０において“Ｙ”）には、動作モードＭが通常モードＭ３からスタートアップモードＭ２に移行し、ステップＳ１０１に戻る。
【００６７】
このように、通信システム１では、送信データＤＴを含む信号ＳＩＧの送信に先立ち、まず、送信装置１０が、プレトレーニングパターンＰＡＴpreを含む信号ＳＩＧを送信し、受信装置３０は、その信号ＳＩＧの信号レベルを検出し、その検出結果に基づいて、通信システム１がＦＦＥ回路１３Ａの等化特性を調節するようにした。そして、その後に、送信装置１０が、トレーニングパターンＰＡＴを含む信号ＳＩＧを送信し、受信装置３０は、ＤＦＥ回路３１Ｂに入力される信号のアイ開口の大きさを検出し、その検出結果に基づいて、通信システム１がＣＴＬＥ回路３１ＡおよびＤＦＥ回路３１Ｂの等化特性を調節するようにした。これにより、通信システム１では、ＦＦＥ回路１３Ａ、ＣＴＬＥ回路３１Ａ、およびＤＦＥ回路３１Ｂの等化特性を適切に調節することができ、その結果、通信品質を高めることができる。
【００６８】
すなわち、例えば、図６において、ステップＳ１０１〜Ｓ１０４の動作を省き、トレーニングパターンＰＡＴに基づいてＣＴＬＥ回路３１ＡおよびＤＦＥ回路３１Ｂの等化特性を調節した場合には、適切な等化特性を得ることができないおそれがある。なぜならば、受信装置３０に設けられたＤＦＥ回路３１Ｂは、判定帰還型の等化回路であるので、ＤＦＥ回路３１Ｂにおける加算信号のアイが十分に開いていない場合には、この加算信号に基づいて正常に判定を行うことができないので、適切な等化特性を得ることができないからである。特に、伝送路１００が長い場合には、ＤＦＥ回路３１Ｂにおける加算信号のアイが十分に開かないおそれがあり、この場合には、ＤＦＥ回路３１Ｂの等化特性は、適切に調節されない。その結果、通信システム１の通信品質が低下するおそれがある。
【００６９】
一方、通信システム１では、ステップＳ１０１〜Ｓ１０４の動作を行うことにより、まず、プレトレーニングパターンＰＡＴpreに基づいて、送信装置１０におけるＦＦＥ回路１３Ａの等化特性を調節するようにした。そして、通信システム１では、送信装置１０のＦＦＥ回路１３Ａの等化特性が調節された後に、ステップＳ１０５〜Ｓ１０７の動作を行うことにより、トレーニングパターンＰＡＴに基づいて、受信装置３０におけるＣＴＬＥ回路３１ＡおよびＤＦＥ回路３１Ｂの等化特性を調節するようにした。このように、通信システム１では、送信装置１０におけるＦＦＥ回路１３Ａの等化特性を調節した後に、受信装置３０におけるＣＴＬＥ回路３１ＡおよびＤＦＥ回路３１Ｂの等化特性を調節するようにしたので、ＤＦＥ回路３１Ｂの等化特性を調節する際に、ＤＦＥ回路３１Ｂにおける加算信号のアイ開口を大きくすることができる。よって、ＤＦＥ回路３１Ｂは、正常なフィードバック動作を行うことができ、適切な等化特性を得ることができる。その結果、通信システム１の通信品質を高めることができる。
【００７０】
また、通信システム１では、交番パターンであるプレトレーニングパターンＰＡＴpreに基づいて、送信装置１０におけるＦＦＥ回路１３Ａの等化特性を調節するようにしたので、回路構成をシンプルにすることができる。すなわち、例えば、疑似ランダムパターンであるトレーニングパターンＰＡＴに基づいてＦＦＥ回路１３Ａの等化特性を調節するようにした場合には、信号ＳＩＧは、様々な周波数成分を有するので、伝送損失検出部３５は、信号ＳＩＧに含まれるある特定の周波数成分のみを抽出するように構成する必要がある。この場合には、伝送損失検出部３５の回路構成が複雑になるおそれがある。一方、通信システム１では、交番パターンであるプレトレーニングパターンＰＡＴpreに基づいてＦＦＥ回路１３Ａの等化特性を調節するようにしたので、伝送損失検出部３５は、例えば信号ＳＩＧの振幅を得るだけでよいので、伝送損失検出部３５の回路構成をシンプルにすることができる。
【００７１】
［効果］
以上のように本実施の形態では、送信データを含む信号の送信に先立ち、送信装置が、プレトレーニングパターンを含む信号を送信し、受信装置は、その信号の信号レベルを検出し、その検出結果に基づいて、通信システムがＦＦＥ回路の等化特性を調節するようにしたので、通信品質を高めることができる。
【００７２】
本実施の形態では、交番パターンであるプレトレーニングパターンに基づいて、送信装置におけるＦＦＥ回路の等化特性を調節するようにしたので、回路構成をシンプルにすることができる。
【００７３】
［変形例１−１］
上記実施の形態では、伝送損失検出部３５は、信号ＳＩＧの信号レベルを検出するようにしたが、これに限定されるものではない。これに代えて、例えば、図７に示す通信システム１Ａのように、伝送損失検出部は、ＤＦＥ回路３１Ｂに入力される信号の信号レベルを検出するようにしてもよい。この通信システム１Ａは、受信装置３０Ａを備えている。受信装置３０Ａは、伝送損失検出部３５Ｂを有している。この伝送損失検出部３５Ｂは、送信装置１０が、プレトレーニングパターンＰＡＴpreを含む信号ＳＩＧを送信している場合に、ＤＦＥ回路３１Ｂに入力される信号の信号レベルを検出するように構成される。
【００７４】
［変形例１−２］
上記実施の形態では、送信装置１０は、疑似ランダムパターンであるトレーニングパターンを含む信号ＳＩＧを送信するようにしたが、これに限定されるものではない。これに代えて、例えば、図８に示す通信システム１Ｂのように、送信装置は、疑似ランダムパターンであるトレーニングパターンを含む信号ＳＩＧを送信しなくてもよい。この通信システム１Ｂは、送信装置１０Ｂを備えている。送信装置１０Ｂは、処理部２０Ｂを有している。処理部２０Ｂは、セレクタ２５Ｂを有している。セレクタ２５Ｂは、送信データ生成部２１の出力信号、およびプレトレーニングパターン生成部２３の出力信号のうちの１つを選択するように構成される。すなわち、処理部２０Ｂは、上記実施の形態に係る処理部２０（図１）からトレーニングパターン生成部２２を省いたものである。この場合には、通信システム１Ｂは、図９のステップＳ１１５，Ｓ１０６，Ｓ１０７に示したように、送信データＤＴを含む信号ＳＩＧに基づいて、ＣＴＬＥ回路３１ＡおよびＤＦＥ回路３１Ｂの等化特性を調節する。具体的には、送信装置１０Ａは、送信データＤＴを含む信号ＳＩＧの送信を開始し（ステップＳ１１５）、受信装置３０は、ＣＴＬＥ回路３１ＡおよびＤＦＥ回路３１Ｂの等化特性を調節する（ステップＳ１０６）。そして、ステップＳ１１６において送信装置１０Ａが送信データＤＴを含む信号ＳＩＧの送信を開始してから所定の時間が経過するまで、これらの動作を繰り返す（ステップＳ１０７）。所定の時間が経過した場合（ステップＳ１０７において“Ｙ”）には、通信システム１Ｂの動作モードＭがスタートアップモードＭ２から通常モードＭ３に移行し、通信システム１Ｂは、ＦＦＥ回路１３Ａ、ＣＴＬＥ回路３１Ａ、およびＤＦＥ回路３１Ｂの等化特性を調節する（ステップＳ１０９）。
【００７５】
［変形例１−３］
上記実施の形態では、所定の時間Ｔが経過する度に“１”と“０”とが交番する交番パターンであるプレトレーニングパターンＰＡＴpreを用いたが、この所定の時間Ｔの時間長を変更可能に構成してもよい。以下に、本変形例に係る通信システム１Ｃについて詳細に説明する。
【００７６】
上記実施の形態に係る通信システム１（図１）と同様に、通信システム１Ｃは、送信装置１０Ｃと、受信装置３０Ｃとを有している。
【００７７】
送信装置１０Ｃは、プレトレーニングパターン生成部２３Ｃを有している。プレトレーニングパターン生成部２３Ｃは、プレトレーニングパターンＰＡＴpreを生成するように構成される。
【００７８】
図１０は、プレトレーニングパターン生成部２３Ｃが生成するプレトレーニングパターンＰＡＴpreの一例を表すものである。このプレトレーニングパターンＰＡＴpreは、所定の時間Ｔが経過する度に“１”と“０”とが交番する交番パターンである。この例では、この所定の時間Ｔの時間長が変更可能に構成されている。プレトレーニングパターンＰＡＴpreは、この例では、タイミングｔ１〜ｔ２の期間（期間Ａ）では、５ＧＨｚのパルス周波数を有するパターンであり、タイミングｔ２〜ｔ３の期間（期間Ｂ）では、２．５ＧＨｚのパルス周波数を有するパターンである。言い換えれば、タイミングｔ２〜ｔ３の期間における所定の時間Ｔの時間長は、タイミングｔ１〜ｔ２の期間における所定の時間Ｔの時間長の２倍に設定される。この例では、プレトレーニングパターンＰＡＴpreにおいて、５ＧＨｚのパルス周波数を有するパターン（期間Ａ）および２．５ＧＨｚのパルス周波数を有するパターン（期間Ｂ）を交互に配置している。なお、この例では、期間Ａにおいて２周期分のパターンを設けるとともに、期間Ｂにおいて２周期分のパターンを設けたが、これに限定されるものではなく、例えば、期間Ａにおいて３周期分以上のパターンを設けてもよいし、期間Ｂにおいて３周期分以上のパターンを設けてもよい。
【００７９】
受信装置３０Ｃは、伝送損失検出部３５Ｃと、処理部４０Ｃとを有している。伝送損失検出部３５Ｃは、送信装置１０が、プレトレーニングパターンＰＡＴpre（図１０）を含む信号ＳＩＧを送信している場合に、この信号ＳＩＧに含まれる２．５ＧＨｚおよび５ＧＨｚの周波数成分を検出するように構成される。
【００８０】
図１１（Ａ）は、送信装置１０Ｃの出力端子における信号ＳＩＧの信号レベルを示し、図１１（Ｂ）は、受信装置３０Ｃの入力端子における信号ＳＩＧの信号レベルを示す。信号ＳＩＧは、プレトレーニングパターンＰＡＴpre（図１０）を含むので、この例では、２．５ＧＨｚおよび５ＧＨｚの周波数成分を有する。信号ＳＩＧの信号レベルは、伝送路１００により減衰する。伝送損失検出部３５Ｃは、伝送路１００により減衰された信号ＳＩＧに含まれる２．５ＧＨｚおよび５ＧＨｚの周波数成分を検出する。そして、伝送損失検出部３５Ｃは、検出結果を処理部４０Ｃに供給するようになっている。
【００８１】
処理部４０Ｃは、等化特性調節部４２Ｃを有している。等化特性調節部４２Ｃは、上記実施の形態に係る等化特性調節部４２と同様に、アイ開口検出部３４の検出結果に基づいて、ＣＴＬＥ回路３１ＡおよびＤＦＥ回路３１Ｂの等化特性を調節するとともに、送信装置１０ＣにおけるＦＦＥ回路１３Ａの等化特性についての指示情報を生成するように構成される。また、等化特性調節部４２Ｃは、伝送損失検出部３５Ｃの検出結果に基づいて、送信装置１０ＣにおけるＦＦＥ回路１３Ａの等化特性についての指示情報を生成する機能をも有している。伝送損失検出部３５Ｃは、２つの周波数成分を検出することができるので、等化特性調節部４２Ｃは、この検出結果に基づいて、ＦＦＥ回路１３Ａの等化特性についての、より詳細な指示情報を生成することができる。具体的には、等化特性調節部４２Ｃは、ＦＦＥ回路１３Ａの複数のタップのそれぞれについての指示情報を生成することができる。
【００８２】
図１２は、通信システム１Ｃの等化特性を調節する動作の一例を表すものである。通信システム１Ｃは、ステップＳ１２１〜Ｓ１２４に示したように、図１０に示したプレトレーニングパターンＰＡＴpreを含む信号ＳＩＧに基づいて、ＦＦＥ回路１３Ａの等化特性を調節する。
【００８３】
具体的には、通信システム１Ｃの動作モードＭがスタートアップモードＭ２に移行すると、まず、送信装置１０Ｃは、図１０に示したプレトレーニングパターンＰＡＴpreを含む信号ＳＩＧの送信を開始する（ステップＳ１２１）。
【００８４】
次に、受信装置３０Ｃの伝送損失検出部３５Ｃは、信号ＳＩＧに含まれる各周波数成分（この例では、２．５ＧＨｚおよび５ＧＨｚの周波数成分）を検出する（ステップＳ１２２）。
【００８５】
次に、通信システム１Ｃは、ＦＦＥ回路１３Ａの等化特性を調節する（ステップＳ１２３）。具体的には、等化特性調節部４２Ｃは、伝送損失検出部３５Ｃの検出結果に基づいて、送信装置１０ＣのＦＦＥ回路１３Ａの等化特性についての指示情報を生成する。例えば、等化特性調節部４２Ｃは、ＦＦＥ回路１３Ａが複数のタップのそれぞれについての指示情報を生成する。制御信号生成部４３は、この指示情報を含む制御信号を送信部３６に供給し、送信部３６は、この制御信号に基づいて制御信号ＳＣＴＬを生成し、生成した制御信号ＳＣＴＬを送信装置１０Ｃに送信する。送信装置１０Ｃの受信部１４は、制御信号ＳＣＴＬを受信し、制御信号解析部２６は、この制御信号ＳＣＴＬに含まれる制御情報を解析する。そして、等化特性調節部２７は、制御信号ＳＣＴＬに含まれる、ＦＦＥ回路１３Ａの等化特性についての指示情報に基づいて、ＦＦＥ回路１３Ａの等化特性を調節する。
【００８６】
そして、ステップＳ１２１において送信装置１０ＣがプレトレーニングパターンＰＡＴpreを含む信号ＳＩＧの送信を開始してから所定の時間が経過するまで、ステップＳ１２２〜Ｓ１２３の動作を繰り返す（ステップＳ１２４）。
【００８７】
なお、この例では、プレトレーニングパターンＰＡＴpreにおいて、２．５ＧＨｚのパターン（期間Ａ）および５ＧＨｚのパターン（期間Ｂ）を交互に配置したが、これに限定されるものではない。これに代えて、例えば、図１３に示したように、プレトレーニングパターンＰＡＴpreにおいて、十分に長い５ＧＨｚのパターン（期間Ｃ）の後に、十分に長い２．５ＧＨｚのパターン（期間Ｄ）を配置してもよい。この場合には、受信装置３０Ｃの伝送損失検出部３５Ｃは、例えば、期間Ｃにおいて、５ＧＨｚのパターンを含む信号ＳＩＧの振幅を検出し、期間Ｄにおいて、２．５ＧＨｚのパターンを含む信号ＳＩＧの振幅を検出することができる。また、例えば、十分に長い２．５ＧＨｚのパターンの後に、十分に長い５ＧＨｚのパターンを配置してもよい。
【００８８】
この例では、プレトレーニングパターンＰＡＴpreが、２つのパルス周波数（この例では２．５ＧＨｚおよび５ＧＨｚ）のパターンを含むようにしたが、これに限定されるものではなく、これに代えて、例えば、３つ以上のパルス周波数のパターンを含むようにしてもよい。
【００８９】
また、この例では、受信装置３０Ｃの等化特性調節部４２Ｃは、伝送損失検出部３５Ｃが検出した、複数（この例では２つ）の周波数成分を用いて、送信装置１０ＣのＦＦＥ回路１３Ａの等化特性についての指示情報を生成したが、これに限定されるものではない。これに代えて、等化特性調節部４２Ｃは、例えば、伝送損失検出部３５Ｃが検出した複数の周波数成分のうちの一部の周波数成分に基づいて、送信装置１０ＣのＦＦＥ回路１３Ａの等化特性についての指示情報を生成してもよい。この変形例について、以下に詳細に説明する。
【００９０】
図１４は、伝送路１００の一特性例を模式的に表すものである。横軸は周波数を示し、縦軸は伝送路１００における伝送損失を示す。この例では、ある周波数ｆ１において、伝送損失が大きくなっている。このような局所的な伝送損失は、例えば、コネクタでの反射等により生じ得る。
【００９１】
図１５（Ａ）は、送信装置１０Ｃの出力端子における信号ＳＩＧの信号レベルを示し、図１５（Ｂ）は、受信装置３０Ｃの入力端子における信号ＳＩＧの信号レベルを示す。この例では、プレトレーニングパターンＰＡＴpreは、３つのパルス周波数のパターンを含んでいる。図１５Ｂに示したように、信号ＳＩＧに含まれる３つの周波数成分のうちの１つ（周波数成分Ｗ３）は、伝送路１００の特性（図１４）に起因して、大幅に減衰している。等化特性調節部４２Ｃは、この３つの周波数成分のうち、この周波数成分Ｗ３以外の２つの周波数成分に基づいて、ＦＦＥ回路１３Ａの等化特性についての指示情報を生成する。すなわち、３つの周波数成分のうちの周波数成分Ｗ３は、例えば他の２つに比べて信号レベルが十分に低く、通常の伝送線路のモデルから逸脱しているので、等化特性調節部４２Ｃは、周波数成分Ｗ３に対応する周波数に局所的な伝送損失が生じていると判定し、この周波数成分Ｗ３を除外する。これにより、通信システム１Ｃでは、ＦＦＥ回路１３Ａの等化特性を適切に調節することができ、その結果、通信品質を高めることができる。
【００９２】
［変形例１−４］
上記実施の形態では、伝送路１００における伝送損失に基づいてＦＦＥ回路１３Ａの等化特性を調節したが、これに限定されるものではない。例えば、これに先立ち、伝送路１００における反射特性に基づいて、ＦＦＥ回路１３Ａの等化特性を調節してもよい。以下に、この動作について詳細に説明する。
【００９３】
図１６は、通信システム１Ｄの一構成例を表すものである。通信システム１Ｄは、送信装置１０Ｄと、受信装置３０Ｄとを備えている。
【００９４】
送信装置１０Ｄは、処理部２０Ｄを有している。処理部２０Ｄは、パルス生成部２４Ｄと、セレクタ２５Ｄとを有している。パルス生成部２４Ｄは、単一のパルスＰＵを生成するように構成される。このパルスＰＵのパルス幅は、例えば１００psec.（＝１ユニットインターバル）である。セレクタ２５Ｄは、送信データ生成部２１の出力信号、トレーニングパターン生成部２２の出力信号、プレトレーニングパターン生成部２３の出力信号、およびパルス生成部２４Ｄの出力信号のうちの１つを選択するように構成される。
【００９５】
受信装置３０Ｄは、反射検出部３７Ｄと、処理部４０Ｄとを有している。
【００９６】
反射検出部３７Ｄは、送信装置１０Ｄが、パルスＰＵを含む信号ＳＩＧを送信している場合に、このパルスＰＵ、およびこのパルスＰＵに応じた反射パルスＰＵＲを検出することができるように構成される。反射検出部３７Ｄは、例えば、ＡＤ変換回路や、振幅検出回路を用いて構成される。
【００９７】
図１７は、送信装置１０Ｄが、パルスＰＵを含む信号ＳＩＧを送信している場合における、受信装置３０Ｄの入力端子における波形の一例を表すものである。反射検出部３７Ｄは、例えば、パルスＰＵに応じて反射パルスＰＵＲが生じた場合に、パルスＰＵと反射パルスＰＵＲとの間の時間差Δｔ、および反射パルスＰＵＲの振幅Ａpurを検出するようになっている。
【００９８】
処理部４０Ｄは、等化特性調節部４２Ｄを有している。等化特性調節部４２Ｄは、上記実施の形態に係る等化特性調節部４２と同様に、アイ開口検出部３４の検出結果に基づいて、ＣＴＬＥ回路３１ＡおよびＤＦＥ回路３１Ｂの等化特性を調節するとともに、送信装置１０ＤにおけるＦＦＥ回路１３Ａの等化特性についての指示情報を生成するように構成される。また、等化特性調節部４２Ｄは、伝送損失検出部３５の検出結果に基づいて、送信装置１０ＤにおけるＦＦＥ回路１３Ａの等化特性についての指示情報を生成する機能をも有している。また、等化特性調節部４２Ｄは、反射検出部３７Ｄの検出結果に基づいて、送信装置１０ＤにおけるＦＦＥ回路１３Ａの等化特性についての指示情報を生成する機能をも有している。反射検出部３７Ｄは、例えば、パルスＰＵと反射パルスＰＵＲとの間の時間差Δｔ、および反射パルスＰＵＲの振幅Ａpurを検出することができるので、等化特性調節部４２Ｄは、この検出結果に基づいて、ＦＦＥ回路１３Ａの等化特性についての指示情報を生成することができる。具体的には、等化特性調節部４２Ｄは、ＦＦＥ回路１３Ａの複数のタップのうちの時間差Δｔに応じたタップにおける係数を、振幅Ａpurに応じた値に設定する。これにより、受信装置３０Ｄの入力端子での波形において、反射パルスＰＵＲが目立たないようにすることができる。
【００９９】
ここで、パルス生成部２４Ｄは、本開示における「パルス生成部」の一具体例に対応する。反射検出部３７Ｄは、本開示における「第２の検出部」の一具体例に対応する。
【０１００】
図１８は、通信システム１Ｄの等化特性を調節する動作の一例を表すものである。通信システム１Ｄは、ステップＳ１３１〜Ｓ１３３に示したように、単一のパルスＰＵを含む信号ＳＩＧに基づいて、ＦＦＥ回路１３Ａの等化特性を調節する。
【０１０１】
具体的には、通信システム１Ｄの動作モードＭがスタートアップモードＭ２に移行すると、まず、送信装置１０Ｄは、単一のパルスＰＵを含む信号ＳＩＧの送信を開始する（ステップＳ１３１）。
【０１０２】
次に、受信装置３０Ｄの反射検出部３７Ｄは、パルスＰＵに応じて反射パルスＰＵＲが生じた場合に、パルスＰＵと反射パルスＰＵＲとの間の時間差Δｔ、および反射パルスＰＵＲの振幅Ａpurを検出する（ステップＳ１３２）。
【０１０３】
次に、通信システム１Ｄは、ＦＦＥ回路１３Ａの等化特性を調節する（ステップＳ１３３）。具体的には、等化特性調節部４２Ｄは、反射検出部３７Ｄの検出結果に基づいて、送信装置１０ＤのＦＦＥ回路１３Ａの等化特性についての指示情報を生成する。等化特性調節部４２Ｄは、ＦＦＥ回路１３Ａの複数のタップのうちの時間差Δｔに応じたタップにおける係数を、振幅Ａpurに応じた値に設定すべき旨の指示情報を生成する。制御信号生成部４３は、この指示情報を含む制御信号を送信部３６に供給し、送信部３６は、この制御信号に基づいて制御信号ＳＣＴＬを生成し、生成した制御信号ＳＣＴＬを送信装置１０Ｄに送信する。送信装置１０Ｄの受信部１４は、制御信号ＳＣＴＬを受信し、制御信号解析部２６は、この制御信号ＳＣＴＬに含まれる制御情報を解析する。そして、等化特性調節部２７は、制御信号ＳＣＴＬに含まれる、ＦＦＥ回路１３Ａの等化特性についての指示情報に基づいて、ＦＦＥ回路１３Ａの等化特性を調節する。
【０１０４】
そして、その後に、通信システム１Ｄは、ステップＳ１０１〜Ｓ１０４において、交番パターンであるプレトレーニングパターンＰＡＴpreを含む信号ＳＩＧに基づいて、ＦＦＥ回路１３Ａの等化特性を調節する。その際、通信システム１Ｄは、ステップＳ１３３において調節したＦＦＥ１３Ａの等化特性を初期特性として、プレトレーニングパターンＰＡＴpreを含む信号ＳＩＧに基づいて、ＦＦＥ回路１３Ａの等化特性を調節する。
【０１０５】
なお、この例では、等化特性調節部４２Ｄは、反射検出部３７Ｄの検出結果に基づいて、送信装置１０ＤにおけるＦＦＥ回路１３Ａの等化特性についての指示情報を生成したが、これに限定されるものではない。これに代えて、例えば、等化特性調節部４２Ｄは、反射検出部３７Ｄの検出結果に基づいて、ＤＦＥ回路３１Ｂの等化特性を調節してもよい。また、等化特性調節部４２Ｄは、反射検出部３７Ｄの検出結果に基づいて、送信装置１０ＤにおけるＦＦＥ回路１３Ａの等化特性についての指示情報を生成するとともに、ＤＦＥ回路３１Ｂの等化特性を調節してもよい。
【０１０６】
また、この例では、反射検出部３７Ｄを受信装置３０Ｄに設けたが、これに限定されるものではなく、これに代えて、例えば、図１９に示す通信システム１Ｅのように、反射検出部を送信装置に設けてもよい。通信システム１Ｅは、送信装置１０Ｅと、受信装置３０とを備えている。送信装置１０Ｅは、反射検出部１５Ｅと、処理部２０Ｅとを有している。反射検出部１５Ｅは、送信装置１０Ｅが、パルスＰＵを含む信号ＳＩＧを送信している場合に、このパルスＰＵ、およびこのパルスＰＵに応じた反射パルスＰＵＲを検出することができるように構成される。処理部２０Ｅは、等化特性調節部２７Ｄを有している。等化特性調節部２７Ｄは、上記実施の形態に係る等化特性調節部２７と同様に、制御信号ＳＣＴＬに、ＦＦＥ回路１３Ａの等化特性についての指示情報が含まれている場合に、この指示情報に基づいて、ＦＦＥ回路１３Ａの等化特性を調節するように構成される。また、等化特性調節部２７Ｄは、反射検出部１５Ｅの検出結果に基づいて、ＦＦＥ１３Ａの等化特性を調節する機能をも有している。ここで、反射検出部１５Ｅは、本開示における「第３の検出部」の一具体例に対応する。
【０１０７】
［その他の変形例］
また、これらの変形例のうちの２以上を組み合わせてもよい。
【０１０８】
＜２．第２の実施の形態＞
次に、第２の実施の形態に係る通信システム２について説明する。本実施の形態は、送受信する信号ＳＩＧの信号形式をＮＲＺ信号およびＰＡＭ（Pulse Amplitude Modulation）４信号の間で切り替え可能に構成される。なお、上記第１の実施の形態に係る通信システム１と実質的に同一の構成部分には同一の符号を付し、適宜説明を省略する。
【０１０９】
図２０は、本実施の形態に係る通信システム２の一構成例を表すものである。通信システム２は、送受信する信号ＳＩＧの信号形式をＮＲＺ信号およびＰＡＭ４信号の間で切り替え可能に構成される。
【０１１０】
図２１（Ａ）は、ＮＲＺ信号を表すものであり、図２１（Ｂ）はＰＡＭ４信号を表すものである。ＰＡＭ４信号では、４つの電圧レベルを用いて２ビット分の情報を示すようになっている。ＮＲＺ信号を用いて１０Ｇｂｐｓの信号ＳＩＧを送信する場合には、１ユニットインターバルは１００psec.であり、ＰＡＭ４信号を用いて１０Ｇｂｐｓの信号ＳＩＧを送信する場合には、１ユニットインターバルは２００psec.である。
【０１１１】
図２０に示したように、通信システム２は、送信装置５０と、受信装置７０とを備えている。
【０１１２】
送信装置５０は、処理部６０と、シリアライザ５１と、クロック生成部５２と、送信部５３と、受信部１４とを有している。
【０１１３】
処理部６０は、送信データ生成部６１と、トレーニングパターン生成部６２と、プレトレーニングパターン生成部６３と、セレクタ６５と、制御信号解析部６６と、等化特性調節部２７と、信号形式設定部６７とを有している。トレーニングパターン生成部６２およびプレトレーニングパターン生成部６３は、パターン生成部６９を構成する。
【０１１４】
図２２は、送信データ生成部６１、トレーニングパターン生成部６２、プレトレーニングパターン生成部６３、セレクタ６５、およびシリアライザ５１の一構成例を表すものである。
【０１１５】
送信データ生成部６１は、送信装置５０から受信装置７０に送信すべき情報を含む送信データＤＴを生成するように構成される。具体的には、送信データ生成部６１は、送信装置５０がＮＲＺ信号を送信する場合には、互いに１ビット分ずれた２つの送信データＤＴを生成し、この２つの送信データＤＴをセレクタ６５における２つのセレクタ６５Ａ，６５Ｂ（後述）にそれぞれ供給する。この２つの送信データＤＴは、送信部５３のＦＦＥ回路５３Ａにより合成され、ＮＲＺ信号である信号ＳＩＧが生成される。また、送信データ生成部６１は、送信装置５０がＰＡＭ４信号を送信する場合には、２つの送信データＤＴを生成し、この２つの送信データＤＴをセレクタ６５における２つのセレクタ６５Ａ，６５Ｂ（後述）にそれぞれ供給する。この２つの送信データＤＴは、送信部５３のＦＦＥ回路５３Ａおよび変調回路５３Ｂにより合成され、ＰＡＭ４信号である信号ＳＩＧが生成されるようになっている。
【０１１６】
トレーニングパターン生成部６２は、疑似ランダムパターンであるトレーニングパターンＰＡＴを生成するように構成される。具体的には、トレーニングパターン生成部６２は、送信データ生成部６１と同様に、送信装置５０がＮＲＺ信号を送信する場合には、互いに１ビット分ずれた２つのトレーニングパターンＰＡＴを生成し、この２つのトレーニングパターンＰＡＴをセレクタ６５における２つのセレクタ６５Ａ，６５Ｂ（後述）にそれぞれ供給する。この２つのトレーニングパターンＰＡＴは、送信部５３のＦＦＥ回路５３Ａにより合成され、ＮＲＺ信号である信号ＳＩＧが生成される。また、送信データ生成部６１は、送信データ生成部６１と同様に、送信装置５０がＰＡＭ４信号を送信する場合には、２つのトレーニングパターンＰＡＴを生成し、この２つのトレーニングパターンＰＡＴをセレクタ６５における２つのセレクタ６５Ａ，６５Ｂ（後述）にそれぞれ供給する。この２つのトレーニングパターンＰＡＴは、送信部５３のＦＦＥ回路５３Ａおよび変調回路５３Ｂにより合成され、ＰＡＭ４信号である信号ＳＩＧが生成されるようになっている。
【０１１７】
プレトレーニングパターン生成部６３は、交番パターンであるプレトレーニングパターンＰＡＴpreを生成するように構成される。プレトレーニングパターン生成部６３が生成するプレトレーニングパターンＰＡＴpreは、上記第１の実施の形態の変形例１−３に係るプレトレーニングパターン生成部２３Ｃと同様に、複数のパルス周波数のパターンを含んでいる。プレトレーニングパターン生成部６３は、送信データ生成部６１と同様に、送信装置５０がＮＲＺ信号を送信する場合には、互いに１ビット分ずれた２つのプレトレーニングパターンＰＡＴpreを生成し、この２つのプレトレーニングパターンＰＡＴpreをセレクタ６５における２つのセレクタ６５Ａ，６５Ｂ（後述）にそれぞれ供給する。この２つのプレトレーニングパターンＰＡＴpreは、送信部５３のＦＦＥ回路５３Ａにより合成され、ＮＲＺ信号である信号ＳＩＧが生成される。また、プレトレーニングパターン生成部６３は、送信データ生成部６１と同様に、送信装置５０がＰＡＭ４信号を送信する場合には、２つのプレトレーニングパターンＰＡＴpreを生成し、この２つのプレトレーニングパターンＰＡＴpreをセレクタ６５における２つのセレクタ６５Ａ，６５Ｂ（後述）にそれぞれ供給する。この２つのプレトレーニングパターンＰＡＴpreは、送信部５３のＦＦＥ回路５３Ａおよび変調回路５３Ｂにより合成され、ＰＡＭ４信号である信号ＳＩＧが生成されるようになっている。
【０１１８】
セレクタ６５は、２つのセレクタ６５Ａ，６５Ｂを有している。セレクタ６５Ａは、送信データ生成部６１の第１の出力信号、トレーニングパターン生成部６２の第１の出力信号、およびプレトレーニングパターン生成部６３の第１の出力信号のうちの１つを選択するように構成される。セレクタ６５Ｂは、送信データ生成部６１の第２の出力信号、トレーニングパターン生成部６２の第２の出力信号、およびプレトレーニングパターン生成部６３の第２の出力信号のうちの１つを選択するように構成される。
【０１１９】
シリアライザ５１は、２つのシリアライザ５１Ａ，５１Ｂを有している。シリアライザ５１Ａは、セレクタ６５Ａから供給されたパラレル信号、およびクロック生成部５２から供給されたクロック信号に基づいて、シリアル信号であるデータ信号を生成するように構成される。シリアライザ５１Ｂは、セレクタ６５Ｂから供給されたパラレル信号、およびクロック生成部５２から供給されたクロック信号に基づいて、シリアル信号であるデータ信号を生成するように構成される。
【０１２０】
クロック生成部５２は、クロック信号を生成するように構成される。具体的には、クロック生成部５２は、送信装置５０がＮＲＺ信号を送信する場合には、１０ＧＨｚのクロック周波数を有するクロック信号を生成し、送信装置５０がＰＡＭ４信号を送信する場合には、５ＧＨｚのクロック周波数を有するクロック信号を生成するようになっている。すなわち、シリアライザ５１Ａ，５１Ｂは、送信装置５０がＮＲＺ信号を送信する場合には、１０ＧＨｚのクロック周波数を有するクロック信号に基づいてシリアライズを行い、送信装置５０がＰＡＭ４信号を送信する場合には、５ＧＨｚのクロック周波数を有するクロック信号に基づいてシリアライズを行うようになっている。
【０１２１】
送信部５３は、シリアライザ５１Ａ，５１Ｂから供給されたデータ信号に基づいて、信号ＳＩＧを生成し、生成した信号ＳＩＧを受信装置７０に送信するように構成される。送信部５３は、ＦＦＥ回路５３Ａと、変調回路５３Ｂとを有している。ＦＦＥ回路５３Ａは、例えばプリエンファシス回路やデエンファシス回路などの等化回路であり、等化特性を変更可能に構成される。変調回路５３Ｂは、ＰＡＭ４信号を生成するように構成される。変調回路５３Ｂは、送信装置５０がＰＡＭ４信号を送信する場合に動作するようになっている。
【０１２２】
制御信号解析部６６（図２０）は、受信部１４が受信した制御信号ＳＣＴＬに基づいて、制御信号ＳＣＴＬに含まれる制御情報を解析するように構成される。
【０１２３】
信号形式設定部６７は、制御信号ＳＣＴＬに、通信システム２において使用すべき信号形式についての指示情報が含まれている場合に、この指示情報に基づいて使用する信号形式を設定するように構成される。信号形式設定部６７は、その指示情報に基づいて、信号形式設定部６７は、送信データ生成部６１、トレーニングパターン生成部６２、プレトレーニングパターン生成部６３、セレクタ６５、クロック生成部５２、および送信部５３の動作を制御するようになっている。
【０１２４】
受信装置７０は、受信部７１と、ＣＤＲ回路３２と、デシリアライザ３３と、アイ開口検出部７４と、伝送損失検出部７５と、送信部３６と、処理部８０とを有している。
【０１２５】
受信部７１は、送信装置５０から送信された信号ＳＩＧを受信するように構成される。受信部７１は、ＣＴＬＥ回路７１Ａと、ＤＦＥ回路７１Ｂとを有している。ＣＴＬＥ回路３１Ａは、連続時間型の線形等化回路であり、等化特性を変更可能に構成される。ＤＦＥ回路７１Ｂは、判定帰還型の等化回路であり、等化特性を変更可能に構成される。受信部７１は、ＮＲＺ信号およびＰＡＭ４信号の両方を受信可能に構成される。
【０１２６】
伝送損失検出部７５は、送信装置５０が、プレトレーニングパターンＰＡＴpreを含む信号ＳＩＧを送信している場合に、この信号ＳＩＧに含まれる複数の周波数成分を検出するように構成される。
【０１２７】
アイ開口検出部７４は、ＤＦＥ回路７１Ｂにおける加算信号のアイ開口の大きさを検出するように構成される。アイ開口検出部７４は、ＮＲＺ信号およびＰＡＭ４信号のアイ開口の大きさを検出可能に構成される。
【０１２８】
処理部８０は、ビットエラーレート検出部４１と、等化特性調節部８２と、信号形式決定部８４と、制御信号生成部８３とを有している。
【０１２９】
等化特性調節部８２は、アイ開口検出部７４の検出結果に基づいて、ＣＴＬＥ回路３１ＡおよびＤＦＥ回路３１Ｂの等化特性を調節するとともに、送信装置５０におけるＦＦＥ回路１３Ａの等化特性についての指示情報を生成するように構成される。
【０１３０】
信号形式決定部８４は、送信装置５０が、プレトレーニングパターンＰＡＴpre（図２）を含む信号ＳＩＧを送信している場合に、伝送損失検出部７５の検出結果に基づいて、信号形式を決定するように構成される。
【０１３１】
図２３（Ａ）は、伝送路１００の一特性例を模式的に表すものである。図２３（Ｂ）は、ＮＲＺ信号のスペクトルＷＮおよびＰＡＭ４信号のスペクトルＷＰを表すものである。この例では、図２３（Ａ）に示したように、ある周波数帯域において、伝送損失が大きくなっている。このような局所的な伝送損失は、例えば、コネクタでの反射等により生じ得る。図２３（Ｂ）に示したように、ＮＲＺ信号は、幅広い周波数帯域を利用して信号を伝送し、ＰＡＭ４信号は、より狭い周波数帯域を利用して信号を伝送する。この例では、ＮＲＺ信号の周波数帯域の一部は、伝送損失が大きい周波数帯域と重なっており、一方、ＰＡＭ４信号の周波数帯域は、伝送損失が大きい周波数帯域と重なっていない。
【０１３２】
図２４Ａは、送信装置５０の出力端子における信号ＳＩＧの信号レベルを示し、図２４Ｂは、受信装置７０の入力端子における信号ＳＩＧの信号レベルを示す。この例では、プレトレーニングパターンＰＡＴpreは、３つのパルス周波数のパターンを含んでいる。図２４Ｂに示したように、信号ＳＩＧに含まれる３つの周波数成分のうちの２つ（周波数成分Ｗ４，Ｗ５）は、伝送路１００の特性（図２３（Ａ））に起因して、大幅に減衰している。信号形式決定部８４は、この３つの周波数成分に基づいて、ＰＡＭ４信号を使用すべき信号形式として決定する。すなわち、３つの周波数成分のうちの周波数成分Ｗ４，Ｗ５は、例えば他の１つに比べて信号レベルが十分に低く、通常の伝送線路のモデルから逸脱している。よって、信号形式決定部８４は、周波数成分Ｗ４，Ｗ５に対応する周波数に局所的な伝送損失が生じていると判定し、この周波数帯域を使用しない信号形式であるＰＡＭ４信号を選択するようになっている。
【０１３３】
このようにして、信号形式決定部８４は、伝送損失検出部７５の検出結果に基づいて、使用すべき信号形式を決定する。そして、信号形式決定部８４は、決定した信号形式の信号を受信するように、受信部７１に対して指示を行うとともに、使用すべき信号形式についての指示情報を生成する。そして、信号形式決定部８４は、この指示情報を制御信号生成部８３に供給するようになっている。
【０１３４】
制御信号生成部８３は、送信装置５０に伝えるべき制御情報を生成し、生成した制御情報を含む制御信号を送信部３６に供給するように構成される。制御信号生成部８３は、例えば、信号形式決定部８４から、使用すべき信号形式についての指示情報が供給された場合には、この指示情報を含む制御信号を生成するようになっている。
【０１３５】
ここで、送信部５３は、本開示における「送信部」の一具体例に対応する。信号形式決定部８４は、本開示における「決定部」の一具体例に対応する。受信部７１は、本開示における「受信部」の一具体例に対応する。
【０１３６】
図２５は、通信システム２の等化特性を調節する動作の一例を表すものである。通信システム２は、ステップＳ２０１〜Ｓ２０４に示したように、プレトレーニングパターンＰＡＴpreを含む信号ＳＩＧに基づいて信号形式を決定し、その後に、ＦＦＥ回路１３Ａの等化特性を調節する。以下に、この動作について詳細に説明する。
【０１３７】
具体的には、通信システム２の動作モードＭがスタートアップモードＭ２に移行すると、まず、送信装置５０は、プレトレーニングパターンＰＡＴpreを含む信号ＳＩＧの送信を開始する（ステップＳ２０１）。具体的には、プレトレーニングパターン生成部６３は、互いに１ビット分ずれた２つのプレトレーニングパターンＰＡＴpreを生成し、この２つのプレトレーニングパターンＰＡＴpreをセレクタ６５における２つのセレクタ６５Ａ，６５Ｂにそれぞれ供給する。セレクタ６５Ａは、プレトレーニングパターン生成部６３の第１の出力信号を選択し、セレクタ６５Ｂは、プレトレーニングパターン生成部６３の第２の出力信号を選択する。シリアライザ５１Ａは、セレクタ６５Ａにより選択された信号を、１０ＧＨｚのクロック信号に基づいてシリアライズし、シリアライザ５１Ｂは、セレクタ６５Ｂにより選択された信号を、１０ＧＨｚのクロック信号に基づいてシリアライズする。そして、送信部５３は、シリアライザ５１Ａ、５１Ｂから供給された信号に基づいて、プレトレーニングパターンＰＡＴpreを含む、ＮＲＺ信号である信号ＳＩＧを生成し、この信号ＳＩＧを送信する。受信装置７０は、この信号ＳＩＧを受信する。
【０１３８】
次に、受信装置７０の伝送損失検出部３５Ｃは、信号ＳＩＧに含まれる各周波数成分を検出する（ステップＳ２０２）。
【０１３９】
次に、受信装置７０の信号形式決定部８４は、伝送損失検出部７５の検出結果に基づいて、信号形式を決定する（ステップＳ２０３）。そして、信号形式決定部８４は、決定した信号形式の信号を受信するように、受信部７１に対して指示を行うとともに、使用すべき信号形式についての指示情報を生成する。制御信号生成部８３は、この指示情報を含む制御信号を送信部３６に供給し、送信部３６は、この制御信号に基づいて制御信号ＳＣＴＬを生成し、生成した制御信号ＳＣＴＬを送信装置５０に送信する。送信装置５０の受信部１４は、制御信号ＳＣＴＬを受信し、制御信号解析部６６は、この制御信号ＳＣＴＬに含まれる制御情報を解析する。そして、信号形式設定部６７は、制御信号ＳＣＴＬに含まれる、使用すべき信号形式についての指示情報に基づいて、送信データ生成部６１、トレーニングパターン生成部６２、プレトレーニングパターン生成部６３、セレクタ６５、クロック生成部５２、および送信部５３の動作を制御する。
【０１４０】
次に、送信装置５０は、ステップＳ２０３において決定された信号形式で、交番パターンであるプレトレーニングパターンＰＡＴpreを含む信号ＳＩＧの送信を開始する（ステップＳ２０４）。
【０１４１】
例えば、使用すべき信号形式がＮＲＺ信号である場合には、プレトレーニングパターン生成部６３は、互いに１ビット分ずれた２つのプレトレーニングパターンＰＡＴpreを生成し、この２つのプレトレーニングパターンＰＡＴpreを２つのセレクタ６５Ａ，６５Ｂにそれぞれ供給する。セレクタ６５Ａは、プレトレーニングパターン生成部６３の第１の出力信号を選択し、セレクタ６５Ｂは、プレトレーニングパターン生成部６３の第２の出力信号を選択する。シリアライザ５１Ａは、セレクタ６５Ａにより選択された信号を、１０ＧＨｚのクロック信号に基づいてシリアライズし、シリアライザ５１Ｂは、セレクタ６５Ｂにより選択された信号を、１０ＧＨｚのクロック信号に基づいてシリアライズする。そして、送信部５３は、シリアライザ５１Ａ、５１Ｂから供給された信号に基づいて、プレトレーニングパターンＰＡＴpreを含む、ＮＲＺ信号である信号ＳＩＧを生成し、この信号ＳＩＧを送信する。受信装置７０は、この信号ＳＩＧを受信する。
【０１４２】
例えば、使用すべき信号形式がＰＡＭ４信号である場合には、プレトレーニングパターン生成部６３は、２つのプレトレーニングパターンＰＡＴpreを生成し、この２つのプレトレーニングパターンＰＡＴpreを２つのセレクタ６５Ａ，６５Ｂにそれぞれ供給する。セレクタ６５Ａは、プレトレーニングパターン生成部６３の第１の出力信号を選択し、セレクタ６５Ｂは、プレトレーニングパターン生成部６３の第２の出力信号を選択する。シリアライザ５１Ａは、セレクタ６５Ａにより選択された信号を、５ＧＨｚのクロック信号に基づいてシリアライズし、シリアライザ５１Ｂは、セレクタ６５Ｂにより選択された信号を、５ＧＨｚのクロック信号に基づいてシリアライズする。そして、送信部５３は、シリアライザ５１Ａ、５１Ｂから供給された信号に基づいて、プレトレーニングパターンＰＡＴpreを含む、ＰＡＭ４信号である信号ＳＩＧを生成し、この信号ＳＩＧを送信する。受信装置７０は、この信号ＳＩＧを受信する。
【０１４３】
そして、通信システム２は、ステップＳ１２２〜Ｓ１２４において、このプレトレーニングパターンＰＡＴpreを含む信号ＳＩＧに基づいて、ＦＦＥ回路１３Ａの等化特性を調節する。
【０１４４】
次に、送信装置５０は、ステップＳ２０３において決定された信号形式で、疑似ランダムパターンであるトレーニングパターンＰＡＴを含む信号ＳＩＧの送信を開始する（ステップＳ２０４）。
【０１４５】
例えば、使用すべき信号形式がＮＲＺ信号である場合には、トレーニングパターン生成部６２は、互いに１ビット分ずれた２つのトレーニングパターンＰＡＴpreを生成し、この２つのトレーニングパターンＰＡＴを２つのセレクタ６５Ａ，６５Ｂにそれぞれ供給する。セレクタ６５Ａは、トレーニングパターン生成部６２の第１の出力信号を選択し、セレクタ６５Ｂは、トレーニングパターン生成部６２の第２の出力信号を選択する。シリアライザ５１Ａは、セレクタ６５Ａにより選択された信号を、１０ＧＨｚのクロック信号に基づいてシリアライズし、シリアライザ５１Ｂは、セレクタ６５Ｂにより選択された信号を、１０ＧＨｚのクロック信号に基づいてシリアライズする。そして、送信部５３は、シリアライザ５１Ａ、５１Ｂから供給された信号に基づいて、トレーニングパターンＰＡＴを含む、ＮＲＺ信号である信号ＳＩＧを生成し、この信号ＳＩＧを送信する。受信装置７０は、この信号ＳＩＧを受信する。
【０１４６】
例えば、使用すべき信号形式がＰＡＭ４信号である場合には、トレーニングパターン生成部６２は、２つのトレーニングパターンＰＡＴpreを生成し、この２つのトレーニングパターンＰＡＴを２つのセレクタ６５Ａ，６５Ｂにそれぞれ供給する。セレクタ６５Ａは、トレーニングパターン生成部６２の第１の出力信号を選択し、セレクタ６５Ｂは、トレーニングパターン生成部６２の第２の出力信号を選択する。シリアライザ５１Ａは、セレクタ６５Ａにより選択された信号を、５ＧＨｚのクロック信号に基づいてシリアライズし、シリアライザ５１Ｂは、セレクタ６５Ｂにより選択された信号を、５ＧＨｚのクロック信号に基づいてシリアライズする。そして、送信部５３は、シリアライザ５１Ａ、５１Ｂから供給された信号に基づいて、トレーニングパターンＰＡＴを含む、ＰＡＭ４信号である信号ＳＩＧを生成し、この信号ＳＩＧを送信する。受信装置７０は、この信号ＳＩＧを受信する。
【０１４７】
そして、通信システム２は、ステップＳ１０６〜Ｓ１０７において、このトレーニングパターンＰＡＴを含む信号ＳＩＧに基づいて、ＣＴＬＥ回路３１ＡおよびＤＦＥ回路３１Ｂの等化特性を調節する。
【０１４８】
そして、通信システム２の動作モードＭがスタートアップモードＭ２から通常モードＭ３に移行し、送信装置５０は、決定された信号形式で、送信データＤＴを含む信号ＳＩＧの送信を開始する（ステップＳ２０８）。
【０１４９】
例えば、使用すべき信号形式がＮＲＺ信号である場合には、送信データ生成部６１は、互いに１ビット分ずれた２つの送信データＤＴを生成し、この２つの送信データＤＴを２つのセレクタ６５Ａ，６５Ｂにそれぞれ供給する。セレクタ６５Ａは、送信データ生成部６１の第１の出力信号を選択し、セレクタ６５Ｂは、送信データ生成部６１の第２の出力信号を選択する。シリアライザ５１Ａは、セレクタ６５Ａにより選択された信号を、１０ＧＨｚのクロック信号に基づいてシリアライズし、シリアライザ５１Ｂは、セレクタ６５Ｂにより選択された信号を、１０ＧＨｚのクロック信号に基づいてシリアライズする。そして、送信部５３は、シリアライザ５１Ａ、５１Ｂから供給された信号に基づいて、送信データＤＴを含む、ＮＲＺ信号である信号ＳＩＧを生成し、この信号ＳＩＧを送信する。
【０１５０】
例えば、使用すべき信号形式がＰＡＭ４信号である場合には、送信データ生成部６１は、２つの送信データＤＴを生成し、この２つの送信データＤＴを２つのセレクタ６５Ａ，６５Ｂにそれぞれ供給する。セレクタ６５Ａは、送信データ生成部６１の第１の出力信号を選択し、セレクタ６５Ｂは、送信データ生成部６１の第２の出力信号を選択する。シリアライザ５１Ａは、セレクタ６５Ａにより選択された信号を、５ＧＨｚのクロック信号に基づいてシリアライズし、シリアライザ５１Ｂは、セレクタ６５Ｂにより選択された信号を、５ＧＨｚのクロック信号に基づいてシリアライズする。そして、送信部５３は、シリアライザ５１Ａ、５１Ｂから供給された信号に基づいて、送信データＤＴを含む、ＰＡＭ４信号である信号ＳＩＧを生成し、この信号ＳＩＧを送信する。
【０１５１】
そして、通信システム２は、ステップＳ１０９，Ｓ１１０において、送信データＤＴを含む信号ＳＩＧに基づいて、ＦＦＥ回路１３Ａ、ＣＴＬＥ回路３１Ａ、およびＤＦＥ回路３１Ｂの等化特性を調節する。
【０１５２】
このように、通信システム２では、送信装置５０が、プレトレーニングパターンＰＡＴpreを含む信号ＳＩＧを送信している場合における、信号ＳＩＧに含まれる複数の周波数成分に基づいて、使用すべき信号形式を決定するようにした。これにより、通信システム２では、例えば、局所的な伝送損失が生じた場合でも、そのような伝送損失が生じる周波数帯域を避けることができる信号形式を選択することができるので、通信品質を高めることができる。
【０１５３】
以上のように本実施の形態では、プレトレーニングパターンを含む信号を送信している場合における、この信号に含まれる複数の周波数成分に基づいて、使用すべき信号形式を決定するようにしたので、通信品質を高めることができる。その他の効果は、上記第１の実施の形態の場合と同様である。
【０１５４】
［変形例２−１］
上記実施の形態では、送受信する信号ＳＩＧの信号形式を、ＮＲＺ信号およびＰＡＭ４信号の間で切り替えるようにしたが、これに限定されるものではない。例えば、他のＰＡＭ１６などの他の信号形式をも選択できるようにしてもよい。
【０１５５】
［変形例２−２］
上記実施の形態に係る通信システム２に、上記第１の実施の形態の各変形例を適用してもよい。
【０１５６】
以上、いくつかの実施の形態および変形例を挙げて本技術を説明したが、本技術はこれらの実施の形態等には限定されず、種々の変形が可能である。
【０１５７】
例えば、上記の各実施の形態では、ビットレートを１０Ｇｂｐｓとしたが、これに限定されるものではなく、ビットレートを１０Ｇｂｐｓよりも低くしてもよいし、１０Ｇｂｐｓよりも高くしてもよい。
【０１５８】
なお、本明細書に記載された効果はあくまで例示であって限定されるものでは無く、また他の効果があってもよい。
【０１５９】
なお、本技術は以下のような構成とすることができる。以下の構成の本技術によれば、例えば、送信信号が、所定の時間が経過する度に交番する交番パターンを含む送信信号を送信し、受信装置が、送信信号に含まれる交番パターンの、所定の時間に対応する周波数成分を検出し、その検出結果に基づいて、送信装置の第１の等化回路が等化特性を調節するようにしたので、通信品質を高めることができる。
【０１６０】
（１）送信データを生成可能な送信データ生成部と、所定の時間が経過する度に交番する交番パターンを生成可能なパターン生成部と、第１の指示情報に基づいて等化特性を調節可能な第１の等化回路を有し前記送信データおよび前記交番パターンを含む送信信号を送信可能な送信部と、前記第１の指示情報を受信可能な制御信号受信部とを有する送信装置と、
前記送信信号を受信可能な受信部と、前記送信信号に含まれる前記交番パターンの、前記所定の時間に対応する周波数成分を検出可能な第１の検出部と、前記第１の検出部の検出結果に基づいて前記第１の指示情報を生成可能であり、前記第１の指示情報を送信可能な制御信号送信部とを有する受信装置と
を備えた通信システム。
（２）前記パターン生成部は、前記所定の時間の時間長を変更可能である
前記（１）に記載の通信システム。
（３）前記送信信号に含まれる前記交番パターンは、互いに異なる前記所定の時間に対応する複数の周波数成分を含み、
前記第１の検出部は、前記複数の周波数成分を検出可能であり、
前記制御信号送信部は、前記第１の検出部により検出された前記複数の周波数成分に基づいて前記第１の指示情報を生成可能である
前記（２）に記載の通信システム。
（４）前記制御信号送信部は、前記第１の検出部により検出された前記複数の周波数成分の一部に基づいて前記第１の指示情報を生成可能である
前記（３）に記載の通信システム。
（５）前記送信装置は、単一パルスを生成可能なパルス生成部をさらに有し、
前記送信信号は、前記単一パルスを含み、
前記送信信号において、前記単一パルスは、前記交番パターンより前に配置され、
前記受信装置は、前記送信信号に含まれる前記単一パルスに応じた反射パルスを検出可能な第２の検出部を有し、
前記制御信号送信部は、前記第２の検出部における検出結果に基づいて前記第１の指示情報を生成可能である
前記（１）から（４）のいずれかに記載の通信システム。
（６）前記送信装置は、単一パルスを生成可能なパルス生成部をさらに有し、
前記送信信号は、前記単一パルスを含み、
前記送信信号において、前記単一パルスは、前記交番パターンより前に配置され、
前記受信装置は、前記送信信号に含まれる前記単一パルスに応じた反射パルスを検出可能な第２の検出部を有し、
前記受信部は、前記第２の検出部における検出結果に基づいて等化特性を調節可能な第２の等化回路を有する
前記（１）から（５）のいずれかに記載の通信システム。
（７）前記送信装置は、単一パルスを生成可能なパルス生成部をさらに有し、
前記送信信号は、前記単一パルスを含み、
前記送信信号において、前記単一パルスは、前記交番パターンより前に配置され、
前記送信装置は、前記送信信号に含まれる前記単一パルスに応じた反射パルスを検出可能な第３の検出部を有し、
前記第１の等化回路は、前記第３の検出部における検出結果に基づいて等化特性を調節可能である
前記（１）から（４）のいずれかに記載の通信システム。
（８）前記パターン生成部は、さらにトレーニングパターンを生成可能であり、
前記送信信号は、前記トレーニングパターンを含み、
前記送信信号において、前記トレーニングパターンは、前記交番パターンより後であり前記送信データより前に配置され、
前記受信装置は、前記受信部における、前記トレーニングパターンに応じた信号の波形を検出する波形検出部を有し、
前記受信部は、等化特性を調節可能な、判定帰還型の第２の等化回路と、前記第２の等化回路の前段に配置され、等化特性を調節可能な、連続時間型の第３の等化回路とを有し、
前記第１の等化回路、前記第２の等化回路、および前記第３の等化回路は、前記波形検出部における検出結果に基づいて、等化特性を調節可能である
前記（１）から（７）のいずれかに記載の通信システム。
（９）前記送信信号において、前記送信データは、前記交番パターンより後に配置され、
前記受信装置は、前記受信部における、前記送信データに基づく信号の波形を検出する波形検出部を有し、
前記受信部は、等化特性を調節可能な、判定帰還型の第２の等化回路と、前記第２の等化回路の前段に配置され、等化特性を調節可能な、連続時間型の第３の等化回路とを有し、
前記第１の等化回路、前記第２の等化回路、および前記第３の等化回路は、前記波形検出部における検出結果に基づいて、等化特性を調節可能である
前記（１）から（７）のいずれかに記載の通信システム。
（１０）前記通信システムは、複数の信号形式の信号を送受信可能であり、
前記パターン生成部は、前記所定の時間の時間長を変更可能であり、
前記送信信号に含まれる前記交番パターンは、互いに異なる前記所定の時間に対応する複数の周波数成分を含み、
前記第１の検出部は、前記複数の周波数成分を検出可能であり、
前記受信装置は、前記第１の検出部により検出された前記複数の前記周波数成分に基づいて、前記複数の信号形式から、使用すべき信号形式を決定可能な決定部をさらに有し、
前記制御信号送信部は、前記決定部の決定結果に基づいて第２の指示情報を生成可能であり、前記第２の指示情報を送信可能であり、
前記制御信号受信部は、前記第２の指示情報を受信可能であり、
前記送信部は、前記第２の指示情報に基づいて、前記使用すべき信号形式の信号を送信可能であり、
前記受信部は、前記決定部の決定結果に基づいて、前記使用すべき信号形式の信号を受信可能である
前記（１）から（９）のいずれかに記載の通信システム。
（１１）前記送信部は、伝送路を介して前記送信信号を前記受信部に送信し、
前記制御信号送信部は、前記伝送路を介して前記第１の指示情報を前記制御信号受信部に送信する
前記（１）から（１０）のいずれかに記載の通信システム。
（１２）送信データを生成可能な送信データ生成部と、
所定の時間が経過する度に交番する交番パターンを生成可能なパターン生成部と、
第１の指示情報に基づいて等化特性を調節可能な第１の等化回路を有し、前記送信データおよび前記交番パターンを含む送信信号を送信可能な送信部と、
前記送信信号に含まれる前記交番パターンの、前記所定の時間に対応する周波数成分に基づいて前記第１の指示情報を生成可能な受信装置から送信された前記第１の指示情報を受信可能な制御信号受信部と
を備えた送信装置。
（１３）前記パターン生成部は、前記所定の時間の時間長を変更可能である
前記（１２）に記載の送信装置。
（１４）前記送信部は、複数の信号形式の信号を送信可能であり、
前記送信信号に含まれる前記交番パターンは、互いに異なる前記所定の時間に対応する複数の周波数成分を含み、
前記受信装置は、前記複数の周波数成分に基づいて、前記複数の信号形式から、使用すべき信号形式を決定可能であり、その決定結果に基づいて第２の指示情報を生成可能であり、
前記制御信号受信部は、前記第２の指示情報を受信可能であり、
前記送信部は、前記第２の指示情報に基づいて、前記使用すべき信号形式の信号を送信可能である
前記（１３）に記載の送信装置。
（１５）等化特性を調節可能な第２の等化回路を有し、送信データおよび所定の時間が経過する度に交番する交番パターンを含む送信信号を送信可能な送信装置から送信された前記送信信号を受信可能な受信部と、
前記送信信号に含まれる前記交番パターンの、前記所定の時間に対応する周波数成分を検出可能な第１の検出部と、
前記第１の検出部の検出結果に基づいて第１の指示情報を生成可能であり、前記第１の指示情報を送信可能な制御信号送信部と
を備えた受信装置。
（１６）決定部をさらに備え、
前記受信部は、複数の信号形式の信号を受信可能であり、
前記送信装置は、前記所定の時間の時間長を変更可能であり、
前記送信信号に含まれる前記交番パターンは、互いに異なる前記所定の時間に対応する複数の周波数成分を含み、
前記第１の検出部は、前記複数の周波数成分を検出可能であり、
前記決定部は、前記第１の検出部により検出された前記複数の前記周波数成分に基づいて、前記複数の信号形式から、使用すべき信号形式を決定可能であり、
前記制御信号送信部は、前記決定部の決定結果に基づいて第２の指示情報を生成可能であり、前記第２の指示情報を送信可能であり、
前記受信部は、前記決定部の決定結果に基づいて、前記使用すべき信号形式の信号を受信可能である
前記（１５）に記載の受信装置。
【０１６１】
本出願は、日本国特許庁において２０１８年１０月１８日に出願された日本特許出願番号２０１８−１９６６３３号を基礎として優先権を主張するものであり、この出願のすべての内容を参照によって本出願に援用する。
【０１６２】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2020080125.tif 000003
【図２】
2020080125.tif 000004
【図３】
2020080125.tif 000005
【図４】
2020080125.tif 000006
【図５】
2020080125.tif 000007
【図６】
2020080125.tif 000008
【図７】
2020080125.tif 000009
【図８】
2020080125.tif 000010
【図９】
2020080125.tif 000011
【図１０】
2020080125.tif 000012
【図１１】
2020080125.tif 000013
【図１２】
2020080125.tif 000014
【図１３】
2020080125.tif 000015
【図１４】
2020080125.tif 000016
【図１５】
2020080125.tif 000017
【図１６】
2020080125.tif 000018
【図１７】
2020080125.tif 000019
【図１８】
2020080125.tif 000020
【図１９】
2020080125.tif 000021
【図２０】
2020080125.tif 000022
【図２１】
2020080125.tif 000023
【図２２】
2020080125.tif 000024
【図２３】
2020080125.tif 000025
【図２４】
2020080125.tif 000026
【図２５】
2020080125.tif 000027
【国際調査報告】
2020080125.tif 000028
2020080125.tif 000029
2020080125.tif 000030
2020080125.tif 000031